(57)【特許請求の範囲】
【請求項１】
地編が非弾性糸で編まれ、更に２３１ｄｔｅｘ以下の弾性糸が挿入されてなる伸縮性経編地からなる身体にフィットさせて着用するタイプの衣類に於て、身体にフィットさせる部分の緊迫力の強弱の要求に応じて非弾性糸からなる地編の表側にあらわれる編組織をジャカード制御による編み分けにより厚地部と薄地部がパターン状に編み分けられて形成されていて、前記厚地部と薄地部の編み分け部の境界線の少なくとも１つが曲線状であって、且つ、厚地部の単位幅当たりのウェール密度Ａと薄地部の単位幅当たりのウェール密度Ｂが、０．６Ａ≦Ｂ≦０．８Ａの範囲に入る部分を有する経編地Ｎであって、前記経編地Ｎは、経編地Ｎの編み立て幅をＸ、仕上がり幅をＹとすると、０．５８Ｘ≦Ｙ≦０．６５Ｘの範囲の仕上がり幅で得られた経編地である経編地Ｎを少なくとも用いて形成してなる身体にフィットさせて着用するタイプの伸縮性を有する衣類。
【請求項２】
経編地Ｎの厚地部の目付ａが１８１〜２１０ｇ／ｍ2の範囲であり、薄地部の目付ｂが１５０〜１８０ｇ／ｍ2の範囲であり、且つ０．８ａ≦ｂ≦０．９５ａである請求項１に記載の伸縮性を有する衣類。
【請求項３】
経編地Ｎの厚地部と薄地部の編み分けにおいて、最厚地部と最薄地部までの編み分けのグレードが合計３段階以上のグレードである請求項１または２のいずれかに記載の伸縮性を有する衣類。
【請求項４】
挿入される弾性糸が、１９８ｄｔｅｘ〜７７ｄｔｅｘの弾性糸である請求項１〜３のいずれかに記載の伸縮性を有する衣類。
【請求項５】
更に、４４〜３３ｄｔｅｘの弾性糸が挿入されている請求項４に記載の伸縮性を有する衣類。
【請求項６】
経編地がシングルラッセル編みからなる経編地であり、前記経編地Ｎの厚地部と薄地部のパターン状の編み分けが、非弾性糸からなる地編の表側にあらわれる編組織をジャカード制御による編み分けによりパターン状に編み分けたものである請求項１〜５のいずれかに記載の伸縮性を有する衣類。
【請求項７】
地編が２２〜８８ｄｔｅｘのナイロン糸からなる請求項１〜６のいずれかに記載の伸縮性を有する衣類。
【請求項８】
曲線状の境界線の長さが５ｃｍ以上である請求項１〜７のいずれかに記載の伸縮性を有する衣類。
【請求項９】
衣類がヒップ部と股部を有する衣類であって、経編地Ｎの薄地部が、臀部の膨らみ部分をカバーする部分である請求項１〜８のいずれかに記載の伸縮性を有する衣類。
【請求項１０】
ヒップ部をカバーする部分が薄地部からなり、当該ヒップ部をカバーする薄地部の境界線がヒップ部の膨らみの下から脇を通りウエスト部に至る曲線であり、且つ、当該ヒップ部をカバーする薄地部は、前記境界曲線とウェストラインと後中心ラインに囲まれた部分である請求項９に記載の伸縮性を有する衣類。
【請求項１１】
曲線状の境界線の長さが２０ｃｍ以上である請求項９〜１０のいずれかに記載の伸縮性を有する衣類。
【請求項１２】
ヒップ部と股部を有する衣類が、ガードル、ショーツ、ボディスーツから選ばれた衣類である請求項９〜１１のいずれかに記載の伸縮性を有する衣類。
【請求項１３】
ヒップ部の膨らみの下から脇を通りウェスト部に至る帯状にカーブしたパターンの厚地部が設けられている請求項９〜１２のいずれかに記載の伸縮性を有する衣類。
【請求項１４】
ヒップ部の膨らみの下から脇を通りウェスト部に至る帯状にカーブしたパターンの厚地部の長さが、当該帯状パターンの長手方向に沿ったカーブした中心ラインの長さで２０ｃｍ以上である請求項１３に記載の伸縮性を有する衣類。
【請求項１５】
衣類がガードルであって、更にガードルの腹部のほぼ中央部分が、厚地部で構成されている請求項９〜１４のいずれかに記載の伸縮性を有する衣類。
【請求項１６】
衣類がバスト部を有する衣類であって、経編地Ｎの薄地部が、乳房部の膨らみ部分をカバーする部分である請求項１〜７のいずれかに記載の伸縮性を有する衣類。
【請求項１７】
バスト部を有する衣類がボディスーツ、フィットタイプのスリップ、フィットタイプのキャミソールから選ばれた衣類である請求項１６に記載の伸縮性を有する衣類。
【請求項１８】
裾端部が、糸抜きの手法により端しまつを必要としない裾となっている請求項１〜１７のいずれかに記載の伸縮性を有する衣類。
【請求項１９】
前記伸縮性経編地が、編み方向と平行な方向のラインを対称軸として、前記ジャカード制御により編み分けられた厚地部と薄地部の編み分け部の前記曲線状の境界線が、左右線対称となるように配置されて編まれた経編地である請求項１〜１８のいずれかに記載の伸縮性を有する衣類。
【発明の詳細な説明】
【０００１】
【発明の属する技術分野】
本発明は、経編地を用いた経編衣類に関する。特に、比較的薄くて、軽く、身体にフィットしやすく、着用しやすく、多少の体型補整機能を有する身体にフィットさせて着用するタイプの伸縮性を有する経編地を用いた衣類に関するものである。
【０００２】
【従来の技術】
従来より、ガードル、ショーツ、ボディスーツ、フィットタイプのスリップ、フィットタイプのキャミソールなどは、体型補整機能を付与するため、緊迫力を大きくしたい部分には、適宜の当て布を衣類本体生地の裏側または表側から当てがうことが最も一般的に行われている。
【０００３】
しかし、当て布によって緊迫力の大きい部分を形成した衣類は、当て布の存在する部分と当て布の存在しない部分との境界に厚みの相違による段差があるため、その段差がアウターウェアーに反映し、アウターウェアーの外側からも段差が見えてしまい、着用者の外観を著しく低下させると言う問題がある。
【０００４】
これらの問題を解決するために、丸編機を用い、当て布を使用せずに、これらの当て布を当てがうべき部分の編み密度が大きくなる様に、丸編組織を変化させて、同様に体型補整機能を持たせる試みも提案されている。しかし、丸編組織を変化させて、体型補整機能を持たせた衣類は、この様な緊迫力の変化を持たせると、丸編組織の安定性が悪いため、同じ丸編機を使用し、同じ繊維素材を用いて、同じ寸法に設計しても、仕上がり寸法のバラツキがかなり大きくなると言う問題がある。更に丸編品はいわゆる“ほつれ”が生じやすく、耐久性に問題があるとともに、大量に生産する場合に、生産性が悪いと言う問題がある。
【０００５】
そこで、近年、ジャカード制御機構を有するラッセル編み機を用いて、シングルラッセル編みなどの経編で、緊迫力の強弱の要求に応じて非弾性糸からなる地編の表側にあらわれる編組織を切り替えて、組織の変化により、所定部分に所定の比較的緊迫力の強い部分と比較的緊迫力の弱い部分をパターン状に設け、更に、緊迫力の強弱の要求に応じて、挿入する弾性糸の本数及び／または太さを変化させたいわゆる「ジャカード−シングルラッセル編み」の経編地を用いた体型補整機能を付与した衣類が提案され［ＥＰ１１３６００１Ａ１（対応日本特開２０００−８２０３号）］、ヒット商品となっている。
【０００６】
【発明が解決しようとする課題】
しかし、ＥＰ１１３６００１Ａ１（対応日本特開２０００−８２０３号）で提案された衣類は、しっかりした体型補整機能を発揮するが、全体的に、締め付け感がきつい、重い、着用する際に締め付けパワーが強いので、着用しにくいと言う感じがあり、多少窮屈感、締め付け感が強くても、しっかりした体型補整機能の発揮を望む着用者にとっては、好都合であるが、最近の若い女性は、体型自体も美しくなってきたこともあり、必ずしも、締め付け感が強いものを要求せずに、着用感がもう少し楽で、軽く、しかも、身体の立体形状をきれいに出すことができ、フィットしやすく、着用が容易でなおかつ多少の体型補整機能も保持した身体にフィットさせて着用するタイプの伸縮性を有する経編地を用いた衣類を要求する傾向にある。
【０００７】
そこで、全体的に伸縮性を有する経編地を用いた衣類の締め付けパワーを小さくすることが考えられるが、ただ単に、全体的に締め付けパワーを小さくすると、身体の立体形状、すなわち乳房や臀部の膨らみのように、身体の膨らんでいるところは、その膨らみをつぶさずに、きれいに膨らみが強調され、身体の膨らんでいない部分にはピッタリとフィットして、身体のきれいな立体的シルエットが表わせると言うことにはならず、ピッタリとフィットすべき部分がピッタリとフィットせずに身体の凹凸の立体形状に、必ずしも沿わず、きれいなシルエットが実現できないと言う問題がある。
【０００８】
本発明は、上記の問題点を解決するためになされたものであり、身体の膨らんでいるところは、その膨らみをつぶさずに、きれいに膨らみが強調され、身体の膨らんでいない部分にもピッタリとフィットして、身体のきれいな立体的シルエットが強調でき、着用した場合の窮屈感、締め付け感が少なく、比較的薄くて、軽く、着用しやすく、フィットしやすく、尚且つ所要の体型補整機能も具備した身体にフィットさせて着用するタイプの伸縮性を有する経編地を用いた衣類を提供することを目的とするものである。
【０００９】
【課題を解決するための手段】
上記の課題を解決するために、本発明は、次の様な伸縮性を有する経編地を用いた衣類を提供するものである。
【００１０】
（１）地編が非弾性糸で編まれ、更に２３１ｄｔｅｘ以下の弾性糸が挿入されてなる伸縮性経編地からなる身体にフィットさせて着用するタイプの衣類に於て、身体にフィットさせる部分の緊迫力の強弱の要求に応じて非弾性糸からなる地編の表側にあらわれる編組織をジャカード制御による編み分けにより厚地部と薄地部がパターン状に編み分けられて形成されていて、前記厚地部と薄地部の編み分け部の境界線の少なくとも１つが曲線状であって、且つ、厚地部の単位幅当たりのウェール密度Ａと薄地部の単位幅当たりのウェール密度Ｂが、０．６Ａ≦Ｂ≦０．８Ａの範囲に入る部分を有する経編地Ｎであって、前記経編地Ｎは、経編地Ｎの編み立て幅をＸ、仕上がり幅をＹとすると、０．５８Ｘ≦Ｙ≦０．６５Ｘの範囲の仕上がり幅で得られた経編地である経編地Ｎを少なくとも用いて形成してなる身体にフィットさせて着用するタイプの伸縮性を有する衣類。
【００１１】
（２）経編地Ｎの厚地部の目付がａが１８１〜２１０ｇ／ｍ2の範囲であり、薄地部の目付ｂが１５０〜１８０ｇ／ｍ2の範囲であり、且つ０．８ａ≦ｂ≦０．９５ａである前記（１）項に記載の伸縮性を有する衣類。
【００１２】
（３）経編地Ｎの厚地部と薄地部の編み分けにおいて、最厚地部と最薄地部までの編み分けのグレードが合計３段階以上のグレードである前記（１）項または（２）項のいずれかに記載の伸縮性を有する衣類。
【００１３】
（４）挿入される弾性糸が、１９８ｄｔｅｘ〜７７ｄｔｅｘの弾性糸である前記（１）〜（３）項のいずれかに記載の伸縮性を有する衣類。
【００１４】
（５）更に、４４〜３３ｄｔｅｘの弾性糸が挿入されている前記（４）項に記載の伸縮性を有する衣類。
【００１５】
（６）経編地がシングルラッセル編みからなる経編地であり、前記経編地Ｎの厚地部と薄地部のパターン状の編み分けが、非弾性糸からなる地編の表側にあらわれる編組織をジャカード制御による編み分けによりパターン状に編み分けたものである前記（１）〜（５）項のいずれかに記載の伸縮性を有する衣類。
【００１６】
（７）地編が２２〜８８ｄｔｅｘのナイロン糸からなる前記（１）〜（６）項のいずれかに記載の伸縮性を有する衣類。
【００１７】
（８）曲線状の境界線の長さが５ｃｍ以上である前記（１）〜（７）項のいずれかに記載の伸縮性を有する衣類。
【００１８】
（９）衣類がヒップ部と股部を有する衣類であって、経編地Ｎの薄地部が、臀部の膨らみ部分をカバーする部分である前記（１）〜（８）項のいずれかに記載の伸縮性を有する衣類。
【００１９】
（１０）ヒップ部をカバーする部分が薄地部からなり、当該ヒップ部をカバーする薄地部の境界線がヒップ部の膨らみの下から脇を通りウエスト部に至る曲線であり、且つ、当該ヒップ部をカバーする薄地部は、前記境界曲線とウェストラインと後中心ラインに囲まれた部分である前記（９）項に記載の伸縮性を有する衣類。
【００２０】
（１１）曲線状の境界線の長さが２０ｃｍ以上である前記（９）〜（１０）項のいずれかに記載の伸縮性を有する衣類。
【００２１】
（１２）ヒップ部と股部を有する衣類が、ガードル、ショーツ、ボディスーツから選ばれた衣類である前記（９）〜（１１）項のいずれかに記載の伸縮性を有する衣類。
【００２２】
（１３）ヒップ部の膨らみの下から脇を通りウェスト部に至る帯状にカーブしたパターンの厚地部が設けられている前記（９）〜（１２）項のいずれかに記載の伸縮性を有する衣類。
【００２３】
（１４）ヒップ部の膨らみの下から脇を通りウェスト部に至る帯状にカーブしたパターンの厚地部の長さが、当該帯状パターンの長手方向に沿ったカーブした中心ラインの長さで２０ｃｍ以上である前記（１３）項に記載の伸縮性を有する衣類。
【００２４】
（１５）衣類がガードルであって、更にガードルの腹部のほぼ中央部分が、厚地部で構成されている前記（９）〜（１４）項のいずれかに記載の伸縮性を有する衣類。
【００２５】
（１６）衣類がバスト部を有する衣類であって、経編地Ｎの薄地部が、乳房部の膨らみ部分をカバーする部分である前記（１）〜（７）項のいずれかに記載の伸縮性を有する衣類。
【００２６】
（１７）バスト部を有する衣類がボディスーツ、フィットタイプのスリップ、フィットタイプのキャミソールから選ばれた衣類である前記（１６）項に記載の伸縮性を有する衣類。
【００２７】
（１８）裾端部が、糸抜きの手法により端しまつを必要としない裾となっている前記（１）〜（１７）項のいずれかに記載の伸縮性を有する衣類。
【００２８】
（１９）前記伸縮性経編地が、編み方向と平行な方向のラインを対称軸として、前記ジャカード制御により編み分けられた厚地部と薄地部の編み分け部の前記曲線状の境界線が、左右線対称となるように、編地上に同時に左及び右側用のパーツが配置されて編まれた経編地である前記（１）〜（１８）項のいずれかに記載の伸縮性を有する衣類。
【００２９】
【発明の実施の形態】
本発明の衣類に用いる生地は、地編が非弾性糸で編まれ、更に２３１ｄｔｅｘ（２１０デニール）以下の弾性糸が挿入されてなる伸縮性経編地からなるシングルラッセル編物を用いるが、緊迫力の強弱の要求に応じて、非弾性糸からなる地編の表側にあらわれる編組織をジャカード制御による編み分けにより、厚地部と薄地部がパターン状に編み分けられて形成されていて、前記厚地部と薄地部の編み分け部の境界線の少なくとも１つが曲線状であって、且つ、厚地部のウェール密度Ａと薄地部のウェール密度Ｂが、０．６Ａ≦Ｂ≦０．８Ａの範囲に入る部分を有する経編地Ｎであって、前記経編地Ｎは、経編地Ｎの編み立て幅をＸ、仕上がり幅をＹとすると、０．５８Ｘ≦Ｙ≦０．６５Ｘの範囲の仕上がり幅で得られた経編地である経編地Ｎを少なくとも適宜の部位に用いて衣類を形成するものである。
【００３０】
本発明で用いる経編地は、通常、編方向、即ち、糸が供給される方向が、完成した衣類のほぼ横方向になる様に設計される。しかし、適用される衣類の種類や適用される部位（例えばショートタイプのガードルの前裾部分など）によっては衣類の横方向基準でほぼ±３０度以下程度の傾斜で斜めになることもある。本発明において、ほぼ横方向とは、この程度の斜めの部分も含めて「ほぼ横方向」と称している。
【００３１】
本発明で用いる経編生地は、例えばジャカード制御機構を有するシングルラッセル経編機（例えば特開平６−１６６９３４号、対応米国特許第５，３９０，５１２号など参照）などを用いて、これらの経編機に地編用の非弾性糸と挿入糸用の弾性糸とを供給して同時に編まれるのであるが、理解を容易にするために、まず、前記厚地部と薄地部の編み分け部の境界線が曲線状になるように緊迫力の強弱の要求に応じて厚地部と薄地部がパターン状に編み分ける場合の一例を、具体例を挙げて説明する。
【００３２】
図１は厚地部や薄地部を構成するジャカード制御されたシングルラッセル経編地の編み組織の一例を示した図である。尚、緊迫力が相対的に大きい部位となる厚地部と、緊迫力が相対的に小さい部位となる薄地部のほか、図示していないがその緊迫力が相対的にこれらの両者の中間となる中厚地部の３段階以上の編み分けを行うことも可能であり、図１には厚地部と薄地部の２種類の編み組織を示したが、編み組織は本発明の目的が達成される限り、ここに例示されたもののみに限定されるものではないし、更に必要に応じて、緊迫力のグレードが相対的に４段階以上になるように４種類以上の編み組織を利用して編み分けを行うこともできる。
【００３３】
図１（ａ）は、前記厚地部を形成するための編み組織の一例であり、図１（ｂ）は、前記薄地部を形成するための編み組織の一例を示す図である。
【００３４】
Ｊがジャカード筬、Ｌ２が非弾性糸を通糸する地筬、Ｌ３が弾性糸を通糸する筬、Ｌ４も弾性糸を通糸する筬であり、Ｊには、ジャカード制御により厚地部や薄地部などの要求に応じて編み組織が制御される表側に現れる地編みを形成するための非弾性糸（例えばナイロン糸）が通糸される。Ｌ２には、裏側に現れる地編みを形成するための非弾性糸（例えばナイロン糸）が通糸される。Ｌ３には、挿入する第１の弾性糸（例えばポリウレタン糸）、Ｌ４には、挿入する第２の弾性糸（例えばポリウレタン糸）がそれぞれ通糸される。通常、第１の弾性糸としては、２３１ｄｔｅｘ（２１０デニール）以下の、好ましくは、１９８〜７７ｄｔｅｘ（１８０〜７０デニール）の弾性糸が用いられ、第２の弾性糸としては、第１の弾性糸より細い弾性糸が用いられ、好ましくは、４４〜３３ｄｔｅｘ（４０〜３０デニール）の弾性糸が用いられる。第２の弾性糸は使用しなくてもよく、第１の弾性糸のみの使用でもよい。しかし、本発明において厚地部と薄地部でウェール密度に差をつけた場合、薄地部の耐久性（着用耐久性や洗濯耐久性）が弱くなることがあるが、第２の弾性糸を併用することによって、有効な伸度を得るとともに、生地の安定性が向上し、多数回の繰り返しの着用に対する耐久性が向上し極めて好ましい。尚、各筬の糸通しには、それぞれの糸が総詰めで通されている。「糸が総詰めで通されている」とは、例えば、仮に１００本の糸を、ある筬の１００個の糸通し部にそれぞれ１本ずつ通すとすると、隣り合う糸通し部にもすべて糸が通っている状態を言う。すなわち糸が通されていない糸通し部が中間に存在しないように、筬の糸通し部に隙間なく糸が通されていると言う意味である。
【００３５】
尚、図１中、Ｓの矢印が、経編地を形成するための編み機への糸の供給方向であり、言い換えれば、経編機で製造された生地が経編機から排出される生地の排出方向を示している。経編地ではこの方向が、ウェール方向となる。また、これを編み方向と言うことがある。また、前記図１に示した組織図においては、一点鎖線ＥとＦの間が、１繰り返し単位を示している。
【００３６】
尚、これらの組織を、慣用されている編み組織記号で示すと次のように表される。
【００３７】
図１（ａ）の厚地部
Ｊ：    ２−０／２−４／２−０／２−４／２−０／０−２／／
Ｌ２：  ２−４／４−２／２−４／２−０／０−２／２−０／／
Ｌ３：  ４−４／２−２／４−４／０−０／２−２／０−０／／
Ｌ４：  ６−６／２−２／４−４／０−０／４−４／２−２／／
図１（ｂ）の薄地部
Ｊ：    ４−２／２−４／４−２／０−２／２−０／０−２／／
Ｌ２、Ｌ３、Ｌ４は、厚地部と同じ。
【００３８】
尚、Ｌ３とＬ４はいずれも挿入の場合の編み組織記号による表示である。
【００３９】
以上のような、例えば上記図１の（ａ）と（ｂ）に示した様な編み組織の相違からもわかるように、厚地部、薄地部などの相違は、筬Ｊのジャカード制御により編み込まれる表側に現れる非弾性糸からなる地編みの編み組織を変えることにより達成できる。上記図１の（ａ）と（ｂ）の各ジャカード筬Ｊに示した編み組織の差異からも明らかなように、１繰り返し単位中のシンカーループの動きの大きい編み組織ほど緊迫力が強くなり厚地になる。そしてシンカーループの動きの小さい編み組織ほど緊迫力が弱くなり薄地になるのである。尚、シンカーループとは、ある１つのウェールから他のウェールに移る糸のラインを意味している。従って、上記図１の（ａ）、（ｂ）に示した編み組織は、本発明を達成するのに極めて好ましい組織の例であるが、他の編み組織でも、ジャカード制御により編み込まれる表側に現れる非弾性糸からなる地編みの編み組織をシンカーループの動きの大小を調整することにより、本発明の目的、効果を達成できる様なものであれば、使用可能となる。
【００４０】
また、前述したように、緊迫力のグレードを合計３段階以上の編分けを行うには、Ｊのジャカード筬で形成される表側に現れる地編み組織の１繰り返し単位中のシンカーループの動きの多いものから少ないものに３段階以上になるように設計すればよい。そのために１繰り返し単位を構成するコース数（１繰り返し単位の長さ：例えば図１に示されたものは、１繰り返し単位は６コース）を大きくする必要があれば大きくすることにより、厚地部、中厚地部、薄地部などの緊迫力が３段階のもの、さらには中厚地部の緊迫力が更に２段階以上になった編地全体として緊迫力のグレードが合計４段階以上の編分けがなされた経編地を提供する事も出来る。また必要ならシンカーループの長さが長くなるよう隣のウェールではなく１つ飛び越して更に隣のウェールまでシンカーループを長くする方法でシンカーループの動きを大きくする方式又はそれと前記の方式（１繰り返し単位中の動きの大きいシンカーループの数を多くする）との組み合わせ方式の採用などによって、種々のグレードの緊迫力を有する経編地とすることができる。
【００４１】
次に例えば上記で説明した様な、厚地部、薄地部又は更にこれらに中厚地部を加えた編組織を適用して、本発明で用いる経編地Ｎの部分を構成するための編地の原反を編む場合の一例として、厚地部と薄地部の編み分け部の境界線の少なくとも１つが曲線状である様なシングルラッセル編みの原反の編み方を説明する。
【００４２】
図２は、２の部分が緊迫力の弱い薄地部、３の部分が緊迫力の強い厚地部であり例えば、図４、図５などで後述するショートタイプのガードルの人体左側の前部−脇部−後部に充当される左半身充当部片用の裁断前の生地などに用いられる経編地Ｎ用の原反の編み方を説明するための平面図である。尚、図中、１はこの経編地を示している。
【００４３】
例えば、ジャカード制御装置を有するシングルラッセル機（例えば特開平６−１６６９３４号、対応米国特許第５，３９０，５１２号など参照、あるいは具体的には糸ガイドバーに曲げ変換器が取り付けられているカールマイヤーテキスタイルマシーンファブリックGmbH社製（日本マイヤー株式会社発売）の高速ジャカードラッシェル機“ＲＳＪ  ４／１”）などを用いて、図２のＷn 番目のウェールを編む場合は、ｍ0 番目のコースからｍ1 番目のコースまでは、図１（ｂ）に示したような薄地用の編み組織で編み、ｍ1 番目のコースとｍ2 番目のコースの間は図１（ａ）に示したような厚地用の編み組織で編むことになる。同様に図１のＷn+x 番目のウェールを編む場合は、ｍ0 番目のコースからｑ1 番目のコースまでは、図１（ｂ）に示したような薄地用の編み組織で編み、ｑ1 番目のコースとｍ2 番目のコースの間は図１（ａ）に示したような厚地用の編み組織で編むことになる。かかる編み方は、前述の様なジャカード制御装置を有するシングルラッシェル経編機のコンピーターに各ウェールと各コースについて上述の様な指令を入力することにより実現できる。
【００４４】
次に、図３は、２の部分が緊迫力の弱い薄地部、３の部分が緊迫力の強い厚地部、４の部分が緊迫力が２と３の中間の中厚地部であり、例えば、図１４、図１５などで後述するショートタイプのガードルの人体左側の前脇部−後部に充当される左半身充当部片用の裁断前の生地などに用いられる経編地Ｎ用の原反の編み方を説明するための平面図である。すなわち、経編地Ｎの厚地部と薄地部の編み分けにおいて、最厚地部と最薄地部までの編み分けのグレードが合計３段階のグレードになっている編地で、図１４などで後述するショートガードルの後部に充当される経編地において、ヒップ部の膨らみの下から脇にかけて帯状にカーブしたパターンの厚地部が設けられている左半身充当部片用の裁断前の生地などに用いられる経編地原反の編み方を説明するための平面図である。尚、図中、１はこの経編地を示している。
【００４５】
例えば前述したようなジャカード制御装置を有する経編機などを用いて、図３のＷn 番目のウェールを編む場合は、ｍ0 番目のコースからｍ1 番目のコースまでは、１繰り返し単位中のシンカーループの数が少ない薄地用の編み組織で編み、ｍ1 番目のコースとｍ2 番目のコースの間は１繰り返し単位中のシンカーループの数が多い厚地用の編み組織で編み、ｍ2 番目のコースからｍ3 番目のコースは１繰り返し単位中のシンカーループの数が中間の中厚地用の編み組織で編むことになる。同様に図３のＷn+x 番目のウェールを編む場合は、ｍ0 番目のコースからｑ1 番目のコースまでは、ｍ0 番目のコースからｍ1 番目のコースと同様の薄地用の編み組織で編み、ｑ1 番目のコースとｑ2 番目のコースの間は、ｍ1 番目のコースとｍ2 番目のコースと同様の厚地用の編み組織で編み、ｑ2 番目のコースからｍ3 番目のコースは、ｍ2 番目のコースからｍ3 番目のコースと同様の中厚地用の編み組織で編むことになる。かかる編み方は、前述の様なジャカード制御装置を有する経編機のコンピーターに各ウェールと各コースについて上述の様な指令を入力することにより実現できる。
【００４６】
尚、図２、図３において、いずれの図においても矢印Ｓの方向が経編生地を形成するための糸の供給方向、言い換えればウェール方向である。
【００４７】
以上で説明したような手法を用いれば、厚地部と薄地部の編み分け部の境界線の形を任意の望む形にすることができるので、厚地部と薄地部のパターンを必要な任意の望む形にして編み分けることができる。最厚地部と最薄地部の間にその中間の緊迫力を有する中厚地部を設ける場合も、同様に、最厚地部、最薄地部並びに中厚地部の各パターンを必要な任意の望む形にして編み分けることができる。更に必要に応じて中厚地部も、その緊迫力が２段階以上となるように緊迫力に応じて２種類以上の緊迫力の中厚地部を望みの任意の形状で設けることができる。従って、例えば、図３に示したような、帯状にカーブしたパターンの厚地部３を有し、更に厚地部、薄地部、中厚地部などの境界線も曲線状にする等、任意の形状のパターンに編み分けることができる。
【００４８】
尚、例えば、図２や図３に示したような曲線状の境界線や、帯状にカーブしたパターン（これも曲線状の境界線を有しているものと言う表現にも含まれる）などを有する経編地を編む場合に、前述したように経編地は、矢印Ｓで示した様な方向に順次編まれて経編機から排出される。従って、経編機を基準とすると矢印Ｓの軸のラインの方向が、経編機から排出される編み物の上下方向（あるいは前後方向と言ってもよい）になり、矢印Ｓの軸のラインと直角方向が、経編機から排出される編み物の幅方向、言い換えれば左右方向になる。このように定義した場合に、特に限定するものではないが、前述のような曲線状の境界線を有している編地を編む場合には、例えば図２や図３の矢印Ｓで示した矢印Ｓの軸のラインを対称軸として前記曲線状の境界線が左右対称となるように、言い換えれば編み方向と平行な生地端のラインを対称軸として、複数の左右対称のジャカードパターンを同時に並べて編むと、編地に生じる歪みが緩和され、編地の曲がりを防止でき、左右の編み分けパターンも左右対称にほぼ均等な形にすることができ極めて好ましい。もし、例えば図２や図３に示されている通り、すなわち左右対称でないような曲線状の境界線を有している編地を編み機幅方向にそのパターン１個のみ製造するように編んだ場合には、編地中に緊迫力の強い厚地部と緊迫力の弱い薄地部とが、左右非対称に存在することになり、緊迫力の相違により、編地に歪みが生じ、編地が曲がるなどして、編み分けパターンが歪んでしまうことが生じやすい。そうすると、このような左右別々に編まれた編地を用いて例えば左右のヒップの充当部片とした場合に、これらを縫合して衣類に仕上げた際には、曲線状の境界線の左右の形状が左右対称にならない歪んだ形になりやすい。従って、例えば身体左側用のパーツ用の編地パターン部分を（Ｌ）それと左右線対称な右側用のパーツ用の編地パターン部分を（Ｒ）とすると、（Ｌ）−（Ｒ）の組み合わせで同時に左側用のと右側用のパーツを編むか、編み機の編み幅が許す範囲で（Ｌ）−（Ｒ）の組み合わせ単位の複数倍の単位で同時に編むことが極めて好ましいのである。特に緊迫力の弱い薄地部のジャカードパターンの部分が左右線対称に近接して向き合わせて編むと、斜行を防止する効果が高くなり好ましい。
【００４９】
上記で説明したことを図を用いて説明すると、図４のようになる。図４は、図２で説明したような編分けパターンを有する経編地Ｎ用の原反編地（具体的には例えば後述する図１８のＰ−Ｑ−Ｒで囲まれたような編分けパターンを有する経編地Ｎ用の編地になる）で、左側用のパーツと右側用のパーツを左右線対称に配置して同時に編まれた編地の平面図を示している。矢印Ｓの方向が、前述の通りこの経編生地を形成するための糸の供給方向、言い換えればウェール方向（編み立て方向）である。この図では、（Ｌ）−（Ｒ）の組み合わせ単位が編み機の編み幅方向（矢印Ｓの軸に対して直角方向）に２セット編まれている場合を示している（すなわちこの例では（Ｌ）と（Ｒ）の合計が、編地幅方向に合計４つ並べて配置されているが、例えばこのような場合を４本取りと言う）が、編み機の編み幅が許す範囲で更に数を増加してもよい。
【００５０】
１はこの経編地、２は薄地部、３は厚地部であり、５は編地をつないで編むための挿入糸６が挿入されている部分である。すなわち挿入糸６はその左側の編地と右側の編地に交互に絡むように挿入されており、編上がった後、必要な段階でこの挿入糸６を引き抜く、いわゆる糸抜き手法により、裁断しなくても５の部分で編地を分割することが出来、しかも、ほつれなどが生じることがないので、好ましい手法である。そして、後述する図１８で示した点線ラインＡ−Ｂ−Ｃ−Ｄ−Ｅ−Ｆ−Ｇ−Ｈ−Ａの如くガードルの左半身充当部片５０ａを裁断すると、図４で挿入糸６を引き抜いた５の部分のうち、図４の左から１番目、３番目、５番目の５で示した部分が、裾端部となり、糸抜きの手法により端しまつを必要としない裾として利用することができ好ましい。
【００５１】
上記、図４では、左側用のパーツ（Ｌ）と右側用のパーツ（Ｒ）が、５を対称軸として左右線対称に配置して同時に編まれた編地になっている。このような配置で編むことにより、斜行と称する歪みの発生を防止でき、左側用のパーツ（Ｌ）と右側用のパーツ（Ｒ）を左右線対称に編むことができ好ましい。
【００５２】
ガードル、ショーツ、ボディスーツなどの、ヒップ部と股部を有する衣類においては、左右のヒップ部に当接する左側用と右側用のパーツが、左右線対称である必要があるが、上記編地の編み立ての工夫によって、左側用と右側用のパーツを左右対称にすることができ、左右対称な２枚の左側用と右側用のパーツ（後身頃）を、後中心で縫合することにより、左右対称なボトム衣類を量産化することが可能となる。
【００５３】
ところで、前述した編地の曲線状の境界線の長さは、５ｃｍ以上の部分が存在するようにすることが好ましく、例えば、ボディスーツ、フィットタイプのスリップ、フィットタイプのキャミソールなどのバスト部を有する衣類の乳房部の膨らみ部分をカバーする部分を例えば薄地部とする場合、乳房の外側のラインに沿った部分に薄地部のほぼ円ないしほぼ楕円状の境界線が存在するような場合、曲線状の境界線の長さは、例えば３０ｃｍ〜４５ｃｍ程度となる。また、例えば図２に示されたようなヒップ部の膨らみの下から脇を通りウェスト部に至る部分の曲線状境界線の場合には、曲線状の境界線の長さが２０ｃｍ以上となることが好ましい。また、例えば図３に示されたようなヒップ部の膨らみの下から脇を通りウェスト部に至る帯状にカーブしたパターンの厚地部の長さについては、その帯の中心ラインの長さ、より正確に表現すれば、当該帯状パターンの長手方向に沿ったカーブした中心ラインの長さで２０ｃｍ以上であることが好ましい。
【００５４】
以上に説明した様な経編地の地編（図１のＪの様なジャカード制御による表側にあらわれる地編組織も、図１のＬ２で示されるような裏側にあらわれる地編組織も含む）を構成する非弾性糸としては、ナイロン糸、ポリエステル糸などの合成繊維糸、レーヨン糸、アセテート糸、キュプラ糸などの再生繊維糸、木綿糸、絹糸、麻糸、ウール糸などの天然繊維などを用いることができるが、ナイロン糸が特に好ましく、太さとしてはナイロン糸で２２〜８８ｄｔｅｘ（２０〜８０デニール）より好ましくは、２２〜４４ｄｔｅｘ（２０〜４０デニール）、に相当する太さの糸が好ましく用いられる。
【００５５】
挿入糸に用いる弾性糸としては、特に限定されるものではないが、ポリウレタン糸が好ましい。また、ポリウレタン糸が、ナイロン繊維、あるいは、ポリエステル繊維などでカバリングされたカバリングヤーンも好ましく用いられる。
【００５６】
弾性糸の太さは、太いものを用いることはできない。本発明においては、２３１ｄｔｅｘ（２１０デニール）以下の弾性糸を使用する必要があり、好ましくは１９８ｄｔｅｘ〜７７ｄｔｅｘ（１８０〜７０デニール）の弾性糸が用いられる。そして、例えば、図１のＬ３、Ｌ４に示したように、２本の弾性糸が併用される場合には、例えばＬ３で示されるような必ず用いられる第１の弾性糸は、２３１ｄｔｅｘ以下の弾性糸を使用する必要があり、好ましくは１９８ｄｔｅｘ〜７７ｄｔｅｘの弾性糸が用いられ、Ｌ４に示される更に併用して挿入される第２の弾性糸としては第１の弾性糸より細い弾性糸が用いられ、好ましくは、４４〜３３ｄｔｅｘ（４０〜３０デニール）の弾性糸が用いられる。前述したように第２の弾性糸は使用しなくてもよく、第１の弾性糸のみの使用でもよい。しかし、第２の弾性糸を併用した場合には、多数回の繰り返しの着用や洗濯に対する衣類の耐久性や生地の安定性が向上し極めて好ましい。
【００５７】
本発明の経編地Ｎに、２３１ｄｔｅｘより太い弾性糸を使用すると、編み機からでてきた編地原反について、後述するような糸の供給方向に対して直角方向に幅出し処理などを施しても、厚地部のウェール密度Ａと薄地部のウェール密度Ｂが、０．６Ａ≦Ｂ≦０．８Ａの範囲に入る部分を有する経編地Ｎとすることができない。すなわち、厚地部の最もウェール密度の大きい部分のウェール密度Ａと薄地部の最もウェール密度の小さい部分のウェール密度Ｂの差を大きくすることができず、身体の立体形状、すなわち乳房や臀部の膨らみのように、身体の膨らんでいるところは、その膨らみをつぶさずに、きれいに膨らみが強調され、身体の膨らんでいない部分にはピッタリとフィットして、身体のきれいなシルエットを表すことができると言うことにはならず、ピッタリとフィットすべき部分がピッタリとフィットせずに身体の凹凸の立体形状に、必ずしも沿わず、きれいなシルエットが実現できない。すなわち、厚地部と薄地部の緊迫力の差がでにくく、厚地部と薄地部の緊迫力の差のメリハリが達成できない。
【００５８】
尚、上述で説明したように、厚地部と薄地部とか、あるいは、厚地部と中厚地部と薄地部とに上記編み分け手法を用いて編み分けただけでは、通常、これらの経編地の厚地部のウェール密度Ａと薄地部のウェール密度Ｂが、０．６Ａ≦Ｂ≦０．８Ａの範囲に入る部分を有する経編地Ｎとすることはできない。
【００５９】
尚、本発明で、経編地の厚地部のウェール密度Ａと薄地部のウェール密度Ｂが、０．６Ａ≦Ｂ≦０．８Ａの範囲に入ると言う規定において、厚地部のウェール密度Ａは、その編地の中で最もウェール密度の大きい部分のウェール密度を意味し、薄地部のウェール密度Ｂとはその編地の中で最もウェール密度の小さい部分を意味する。従って、ある１つの編地の中にウェール密度が３グレード以上異なった部分が存在する場合においても、同様に厚地部のウェール密度Ａは、その編地の中で最も編み密度の大きい部分（言い換えれば最厚地部分）のウェール密度を意味し、薄地部のウェール密度Ｂとはその編地の中で最もウェール密度の小さい部分（言い換えれば最薄地部分）を意味する。また、単位幅当たりのウェール密度（ウェール／２．５４ｃｍ）とは、１インチ（２．５４ｃｍ）幅当たりに存在するウェール数（糸の供給方向と直角方向の編地１インチ（２．５４ｃｍ）幅当たりの編地を構成するループの数、通常１本の糸でループを形成するが、同一ウェールに２本以上に糸が重なって入っていても１本のループと数える）を意味するものである。
【００６０】
本発明において、用いる経編地を、厚地部のウェール密度Ａと薄地部のウェール密度Ｂが、０．６Ａ≦Ｂ≦０．８Ａの範囲に入る部分を有する経編地Ｎとするためには、例えば更に次のような処理を行う必要がある。
【００６１】
一般に、編み機で編んでいるときの編み機の編み立て可能幅において、筬に糸の仕掛かっている幅（筬の糸が通されている部分の幅にほぼ等しい）を、編み立て幅と言い、最終的に得られた裁断縫製加工する生地の幅を加工仕上がり幅（または仕上がり幅）と言うが、経編地Ｎの編み立て幅をＸ、仕上がり幅をＹとすると、０．５８Ｘ≦Ｙ≦０．６５Ｘの範囲の仕上がり幅で得られた経編地とすることにより、用いる経編地の厚地部のウェール密度Ａと薄地部のウェール密度Ｂが、０．６Ａ≦Ｂ≦０．８Ａの範囲に入る部分を有する経編地Ｎとすることができる。この点を更に、具体的に詳細に説明すると次のようである。
【００６２】
すなわち、編み立て幅から、仕上がり幅までに調整するには、通常、次のような一般的な工程を通る。<1>生機解反→<2>リラックス処理→<3>プレセット→<4>染色→<5>ファイナルセット→<6>検査。この工程で<5>のファイナルセット終了後の編地の幅が仕上がり幅に相当する。
【００６３】
<2>のリラックス処理は、例えば、温度８５〜９０℃の湯水で処理されるのが一般的であり、通常、生地は収縮し幅が狭くなる。幅が狭くなった生地の幅を広げるのが<3>のプレセットで、１８０〜１９０℃に加熱してテンターで幅方向に引っ張り、幅出しする。次いで<4>の染色を行い、染色された生地は皺などが入ったり若干幅が狭くなるので、<5>の１６０〜１８０℃でファイナルセットを行い、生地の幅を所定の幅になるよう調整し、<6>の検査で欠陥のないものが、生地として供給される。その後、目的の衣類に仕上げるために裁断、縫製が行われる。尚、経編地から衣類用の各部片を裁断する場合の裁断形状は、各部片を縫製して衣類を形成した場合に、身体の起伏形状に沿うように、いわゆる立体裁断形状とする。
【００６４】
本発明では、糸としてナイロン糸とポリウレタン糸を用いた場合、一例として例えば編み立て幅が３２６ｃｍのものを例に挙げて説明すると、加工仕上がり幅が１９０〜２１０ｃｍの範囲（通常２００ｃｍとする）になるよう調整するが、<1>の生機解反時には約２３０ｃｍ程度の幅になり、<2>のリラックス処理ではかなり収縮して１６０ｃｍ程度の幅になる。本発明では<3>のプレセットでの幅の拡張を通常よりかなり大きくし、プレセット後の幅を２００ｃｍとする。<4>の染色をした後、<5>の工程で、２００ｃｍの幅を保持するようファイナルセットを行う。ファイナルセット終了後の編地の幅が仕上がり幅である。なお、この数値は、単なる一具体例を示したものであり、何らこの数値に限定されるものではなく、経編地の編み立て幅Ｘと仕上がり幅Ｙとの比率が、前述の範囲内に入るように処理すればよい。尚、仕上げ幅Ｙを０．６５Ｘ（Ｘは編み立て幅）より大きくすると、編地の伸度が低下し、衣類を洗濯した際に、衣類が縮みやすくなる。また、仕上げ幅を０．５８Ｘより小さくすると、編み密度が上記で規定した範囲に入らなくなる。
【００６５】
これからも明らかなように、本発明では、編み立て幅の５８％〜６５％をキープするように、リラックス処理工程などで、一旦、狭幅に収縮した生地を更にテンターなどで幅出しする。
【００６６】
以上から、本発明において、厚地部のウェール密度Ａと薄地部のウェール密度Ｂが、０．６Ａ≦Ｂ≦０．８Ａの範囲に入る部分を有する経編地Ｎとするには、少なくとも前述したように、厚地部と薄地部の編み分けとともに、挿入する弾性糸として２３１ｄｔｅｘ以下の弾性糸を用いることと、経編地Ｎの編み立て幅をＸ、仕上がり幅をＹとすると、０．５８Ｘ≦Ｙ≦０．６５Ｘの範囲の仕上がり幅とすることが必要になる。更に上記ウェール密度比を実現しやすくし、安定した経編地とするのに好ましいのは、０．６Ｘ≦Ｙ≦０．６３Ｘの範囲である。通常の経編地の処理では上記の範囲の処理は行わない。
【００６７】
尚、経編地Ｎの編み立て幅をＸ、仕上がり幅をＹとすると、０．５８Ｘ≦Ｙ≦０．６５Ｘの範囲の仕上がり幅とすることは、本発明の、厚地部のウェール密度Ａと薄地部のウェール密度Ｂが、０．６Ａ≦Ｂ≦０．８Ａの範囲に入る部分を有する経編地Ｎを製造するための具体的手法である。
【００６８】
以上の説明からも明らかなように、「厚地部の単位幅当たりのウェール密度Ａと薄地部の単位幅当たりのウェール密度Ｂが、０．６Ａ≦Ｂ≦０．８Ａの範囲に入る部分を有する経編地Ｎ」は、編んでいる状態や、編み機から排出された直後のものではなく、編み上がった後、全ての生地加工が終了した経編地、つまり衣類にするために裁断する前の状態、もしくは裁断、縫製し衣類にした経編地のことを指している。
【００６９】
上記の如く、本発明において、経編地Ｎとしては、厚地部のウェール密度Ａと薄地部のウェール密度Ｂが、０．６Ａ≦Ｂ≦０．８Ａの範囲に入る部分を有する経編地を用いることが必要である。薄地部のウェール密度Ｂが、厚地部のウェール密度Ａの０．６倍より小さくなると、編み密度差のない生地を用いた場合とほぼ同様に、身体の立体形状に沿いやすい、きれいなシルエットを実現できない。すなわち例えば、乳房や臀部の膨らみのように、身体の膨らんでいるところは、その膨らみをつぶさずに、きれいに膨らみが強調され、身体の膨らんでいない部分にはピッタリとフィットするような身体のきれいな凹凸起伏形状に沿ったシルエットが実現できない。また、薄地部のウェール密度Ｂが、厚地部のウェール密度Ａの０．８倍より大きくなると、薄地部と厚地部のウェール密度の差が大きくなりすぎて、厚地部の締め付けが強くなりすぎ、一方、薄地部の緊迫力がゆるくなりすぎて、着用感が悪く、薄地部分が伸びすぎて、着用に耐えるような実用的な衣類が得られない。厚地部のウェール密度Ａと薄地部のウェール密度Ｂの関係は、好ましくは０．６５Ａ≦Ｂ≦０．７５Ａの範囲である。また前述したように前記経編地Ｎは、経編地Ｎの編み立て幅をＸ、仕上がり幅をＹとすると、０．５８Ｘ≦Ｙ≦０．６５Ｘの範囲の仕上がり幅で得られた経編地であることが必要である。
【００７０】
また、本発明の衣類においては、衣類を着用していると言う着用感をあまり強く意識させないために、衣類を軽くすることが好ましく、例えば経編地Ｎの厚地部の目付ａが１８１〜２１０ｇ／ｍ2、より好ましくは１８０〜１９０ｇ／ｍ2の範囲であり、薄地部の目付ｂが１５０〜１８０ｇ／ｍ2、より好ましくは１６０〜１７５ｇ／ｍ2の範囲であって、且つ０．８ａ≦ｂ≦０．９５ａ、より好ましくは０．８５ａ≦ｂ≦０．９２ａの範囲とすることが好ましい。かかる目付の範囲とすることにより、着用した場合の窮屈感、締め付け感がより少なく、より薄くて、より軽く、一層着用しやすい衣類とすることができ好ましい。但し、薄地部の目付をあまり小さくしすぎると、衣類の耐久性が低下する傾向になる。
【００７１】
また、本発明の衣類においては、裾端部、すなわち衣類の裾部分の最下端部分は、折り返して縫製するなどの端しまつを必要としない裾になっていることが好ましい。この様な端しまつを必要としない編み方は周知であるので説明を省略するが、例えば日本実公昭４７−９９４６号や、日本特開２０００−３０３３３１号の第２図を用いて説明されているような糸抜きの手法を応用して作ることができる。裾端部が端しまつを必要としない裾とすることにより、裾端部に折り返して縫製された部分が存在しないので、折り返し部分による段差が生じない。従って着用者の外観を低下させることがなく、着用感もよく、軽い衣料とすることができ好ましい。
【００７２】
尚、特に図示していないが、本発明の衣類においては、美観を向上させるため、本発明の目的、効果が達成される限り、ジャカード機構による編み分けによって、花柄模様、その他の適宜の装飾のための小柄模様などが必要に応じ更に形成されていても差し支えない。
【００７３】
以下、図面を参照しながら、具体的衣類について説明するが、本発明は、これらの衣類のみに限定されるものではない。
【００７４】
図５に本発明の衣類であるショートタイプのガードルの前側から見た斜視図、図６にその後側から見た斜視図を示した。このショートタイプのガードルは特に丈が短く、いわゆるボーイッシュなデザインのものであり、ボーイレングス丈のショートガードルである。
【００７５】
１０ａが着用者の左側の前部−脇部−後部に充当される左半身充当部片であり、１０ｂが着用者の右側の前部−脇部−後部に充当される右半身充当部片である。左半身充当部片１０ａと右半身充当部片１０ｂはそれぞれ１枚の連続した経編地からなっている。これらの経編地の糸の供給方向は本衣類のほぼ横方向である。こうすると衣類横方向の伸縮性が大きくなり、この衣類の着脱の際にウェストを横に広げやすくなり、衣類の着脱が一層良好になり好ましい。左半身充当部片１０ａは、例えば、図２で説明したような経編地原反から得られた経編地Ｎを、人体の立体形状に沿うような形になるよう、左半身充当部片の所定の形状に裁断して用いる。左半身充当部片１０ａの１０ａ−２の部分が、図１（ｂ）で説明した緊迫力の相対的に小さい薄地部からなり、１０ａ−１の部分が、図１（ａ）で説明した緊迫力の相対的に大きい厚地部からなっていて、１１ａが厚地部１０ａ−１と薄地部１０ａ−２の編み分け部の境界線である。境界線１１ａは、ヒップの膨らみの周囲を囲むように長さ２５ｃｍの曲線状になっていて、ヒップの膨らみの下から脇を通りウェスト部に至っている。従って、ヒップの膨らみの部分は、薄地部１０ａ−２でカバーされることになる。ヒップの膨らみの下方と、脇から前方にかけて、腹部はすべて、緊迫力の相対的に大きい厚地部からなっている。
【００７６】
右半身充当部片１０ｂは、左半身充当部片１０ａとその編み分けパターンが左右線対称になることを除いては同様である。右半身充当部片１０ｂにおいては、１０ｂ−２の部分が、緊迫力の相対的に小さい薄地部からなり、１０ｂ−１の部分が、緊迫力の相対的に大きい厚地部からなっていて、１１ｂが厚地部１０ｂ−１と薄地部１０ｂ−２の編み分け部の境界線である。境界線１１ｂは、ヒップの膨らみの周囲を囲むように曲線状になっていて、ヒップの膨らみの下から脇を通りウェスト部に至っている。従って、ヒップの膨らみの部分は、薄地部１０ｂ−２でカバーされることになる。
【００７７】
左半身充当部片１０ａの厚地部１０ａ−１と薄地部１０ａ−２とは１枚の経編地中に編み分けにより形成されており、右半身充当部片１０ｂの厚地部１０ｂ−１と薄地部１０ｂ−２とにおいても、同様に別の１枚の経編地で構成されている。左半身充当部片１０ａと右半身充当部片１０ｂとは、前側においては前中心を通る縫合ライン１２で相互に縫合されており、後側においては後中心を通る縫合ライン１３で相互に縫合されている。尚、後側においては、左半身充当部片１０ａと右半身充当部片１０ｂとはギャザー１４を設けて縫合ライン１３で相互に縫合されている。必要に応じて、後中心に沿ってストレッチテープを縫合することによりギャザー１４を作ってもよい。また、裾端部１６ａ、１６ｂは、糸抜きの手法により端しまつを必要としない裾となっている
１５は、ウエスト充当部片であり、ウエスト充当部片１５の生地の素材は、本発明とは特に関係がなく、少なくともガードル横方向に伸縮性を有する生地を例えば２つ折りにして用いてもよいし、ストレッチテープなどを用いてもよい。この例ではストレッチテープを用いているが、特に限定されるものではない。尚、クロッチ部は図示されていないが、クロッチ部片用の生地も、特に限定はなく、例えば図２で示した経編地１から、左半身充当部片１０ａを裁断した後に、余った部分、例えば厚地部３から適当にカットして用いてもよいし、別の生地を用いてもよい。例えば、クロッチ部片として非伸縮性の生地を用いる必要がある場合には、非伸縮性の生地を別途用意すればよい。また、１７ａ、１７ｂは脚部用開口部を示している
図７に図５、図６に示したショートタイプのガードルの左半身充当部片１０ａとクロッチ部片に用いられる生地の裁断前の平面図を示した。
【００７８】
すなわち図７は、図２を用いて説明したと同様の方法によって得られ、薄地部と厚地部が所定の編み密度比になるように調整された本発明の経編地Ｎに、左半身充当部片１０ａとクロッチ部片の裁断ライインを点線で示した生地の平面図である。
【００７９】
図７において、８が経編地Ｎであり、実線ラインＰ−Ｑ−Ｒで囲まれた範囲内が、薄地部２であり、その範囲の外側が厚地部３からなる生地を用いる。矢印Ｓの方向が糸の供給方向であり、ウェール方向である。経編地Ｎ８中に示された点線ラインＡ−Ｂ−Ｃ−Ｄ−Ｅ−Ｆ−Ａは図５、図６で示したガードルの左半身充当部片１０ａを得るための裁断ラインを示したものである。また、経編地Ｎ８中に示された点線ラインＧ−Ｈ−Ｉ−Ｊ−Ｋ−Ｌ−Ｇは図５、図６には現れていないが、ガードルのクロッチ部片９用の裁断ラインを示したものである。また、図示していないが、このガードルの右半身充当部片１０ｂの裁断ラインは、図７に示した図と左右線対称となる。
【００８０】
図７において、Ａ−Ｂラインは図示していない右半身充当部片１０ｂの同様な対応部分と縫合されて前中心を通る縫合ライン１２となる。また、Ｆ−Ｅラインは図示していない右半身充当部片１０ｂの同様な対応部分と縫合されて後中心を通る縫合ライン１３となる。クロッチ部片９は、Ｋ−Ｊ−Ｉのラインが前側であり、Ｌ−Ｇ−Ｈのラインが後側になる。クロッチ部片９と左半身充当部片１０ａとの縫合については、Ｊ−ＩラインがＢ−Ｃラインと縫合され、Ｊ−Ｋラインは、Ｂ−Ｃラインに相当する右半身充当部片１０ｂの同様な対応部分と縫合される。また、Ｇ−ＨラインがＥ−Ｄラインと縫合され、Ｇ−Ｌラインは、Ｅ−Ｄラインに相当する右半身充当部片１０ｂの同様な対応部分と縫合される。Ａ−Ｆラインは、図７中には図示されていない前述したウェスト充当部片１５（図５、図６参照）が縫合され、図５〜図６に示したガードルを作成することができる。
【００８１】
左半身充当部片１０ａの厚地部１０ａ−１と薄地部１０ａ−２とは１枚の経編地Ｎ中に編み分けにより形成されており、１１ａが厚地部１０ａ−１と薄地部１０ａ−２の編み分け部の曲線状の境界線である。
【００８２】
以上の本発明のショートタイプのガードルにおいては、ヒップの膨らみの部分は、薄地部でカバーされており、従ってヒップの丸みがつぶされることなく、ヒップ部の美しいシルエットを保ち、腹部と脇、裾まわりは、厚地部からなるので、ピッタリとフィットしてヒップをアップし、身体のきれいな立体的シルエットが表現され、着用した場合の窮屈感、締め付け感が少なく、比較的薄くて、軽く、着用しやすく、フィットしやすいショートタイプのガードルを提供できる。更に裾端部が、糸抜きの手法により端しまつを必要としない裾となっているので、裾端部に折り返して縫製された部分が存在せず、折り返し部分による段差が生じない。従って着用者の外観を低下させることがなく、着用感もよく、軽い衣料とすることができ好ましい。
【００８３】
次に図８と図９に本発明の衣類であるショートタイプのガードルの別の実施形態を示した。図８は本発明の衣類であるショートタイプのガードルの前側から見た斜視図、図９はその後側から見た斜視図である。このショートタイプのガードルは特に丈が短く、いわゆるボーイッシュなデザインのものであり、ボーイレングス丈のショートガードルである。
【００８４】
図８、図９に示したショートタイプのガードルは、腹部充当部片１００が接ぎ合わされている点を除いては、ほぼ、図５、図６に示したショートタイプのガードルと同様である。
【００８５】
２０ａが着用者の左側の前脇部から後部に充当される左前脇部−後部充当部片であり、２０ｂが着用者の右側の前脇部から後部に充当される右前脇部−後部充当部片である。左前脇部−後部充当部片２０ａと右前脇部−後部充当部片２０ｂはそれぞれ１枚の連続した経編地からなっている。これらの経編地の糸の供給方向は本衣類のほぼ横方向である。こうすると衣類横方向の伸縮性が大きくなり、この衣類の着脱の際にウェストを横に広げやすくなり、衣類の着脱が一層良好になり好ましい。左前脇部−後部充当部片２０ａは、例えば、図２で説明したような経編地原反から得られた経編地Ｎを、人体の立体形状に沿うような形になるよう、左前脇部−後部充当部片２０ａの所定の形状に裁断して用いる。左前脇部−後部充当部片２０ａの２０ａ−２の部分が、図１（ｂ）で説明した緊迫力の相対的に小さい薄地部からなり、２０ａ−１の部分が、図１（ａ）で説明した緊迫力の相対的に大きい厚地部からなっていて、２１ａが厚地部２０ａ−１と薄地部２０ａ−２の編み分け部の境界線である。境界線２１ａは、ヒップの膨らみの周囲を囲むように曲線状になっていて、ヒップの膨らみの下から脇を通りウェスト部に至っている。従って、ヒップの膨らみの部分は、薄地部２０ａ−２でカバーされることになる。
【００８６】
右前脇部−後部充当部片２０ｂは、左前脇部−後部充当部片２０ａとその編み分けパターンが左右線対称になることを除いては同様である。右前脇部−後部充当部片２０ｂにおいては、２０ｂ−２の部分が、緊迫力の相対的に小さい薄地部からなり、２０ｂ−１の部分が、緊迫力の相対的に大きい厚地部からなっていて、２１ｂが厚地部２０ｂ−１と薄地部２０ｂ−２の編み分け部の境界線である。境界線２１ｂは、ヒップの膨らみの周囲を囲むように曲線状になっていて、ヒップの膨らみの下から脇を通りウェスト部に至っている。従って、ヒップの膨らみの部分は、薄地部２０ｂ−２でカバーされることになる。
【００８７】
左前脇部−後部充当部片２０ａの厚地部２０ａ−１と薄地部２０ａ−２とは１枚の経編地中に編み分けにより形成されており、右前脇部−後部充当部片２０ｂの厚地部２０ｂ−１と薄地部２０ｂ−２とにおいても、同様に別の１枚の経編地で構成されている。本ガードルにおいては、腹部中央部に略逆三角形状の形をした腹部充当部片１００が設けられており、腹部充当部片１００は図１（ａ）に示したような厚地部のみからなる。腹部充当部片１００の経編地の糸の供給方向は本衣類のほぼ横方向である。腹部充当部片１００の着用者基準で左側の縁は左前脇部−後部充当部片２０ａの前側の縁と縫合ライン２２ａで互いに縫合されており、腹部充当部片１００の右側の縁は右前脇部−後部充当部片２０ｂの前側の縁と縫合ライン２２ｂで互いに縫合されている。
【００８８】
また、左前脇部−後部充当部片２０ａと右前脇部−後部充当部片２０ｂとは、後側において後中心を通る縫合ライン２３で相互に縫合されている。尚、裾端部２６ａ、２６ｂは、糸抜きの手法により端しまつを必要としない裾となっている。
【００８９】
２５は、ウエスト部であり、この実施形態ではウエスト部２５の裏側にストレッチテープが縫製により取り付けられている。尚、クロッチ部は図示されていないが、クロッチ部片用の生地は、特に限定はなく、例えば図２や図７などで示した様な経編地から、必要な部片を裁断した後に、余った部分から適当にカットして用いてもよいし、別の生地を用いてもよい。例えば、クロッチ部片として非伸縮性の生地を用いる必要がある場合には、非伸縮性の生地を別途用意すればよい。また、２７ａ、２７ｂは脚部用開口部を示している。
【００９０】
以上の本発明のショートタイプのガードルにおいては、ヒップの膨らみの部分は、薄地部でカバーされており、従ってヒップの丸みがつぶされることなく、ヒップ部の美しいシルエットを保ち、腹部と脇、裾まわりは、厚地部からなるので、ピッタリとフィットして、身体のきれいな立体的シルエットが表現され、着用した場合の窮屈感、締め付け感が少なく、比較的薄くて、軽く、着用しやすく、フィットしやすいショートタイプのガードルを提供できる。更に裾端部が、糸抜きの手法により端しまつを必要としない裾となっているので、裾端部に折り返して縫製された部分が存在しないので、折り返し部分による段差が生じない。従って着用者の外観を低下させることがなく、着用感もよく、軽い衣料とすることができ好ましい。
【００９１】
次に図１０と図１１に本発明の衣類であるショートタイプのガードルの更に別の実施形態を示した。図１０は本発明の衣類であるショートタイプのガードルの前側から見た斜視図、図１１はその後側から見た斜視図である。このショートタイプのガードルは特に丈が短く、いわゆるボーイッシュなデザインのものであり、ボーイレングス丈のショートガードルである。
【００９２】
図１０、図１１に示したショートタイプのガードルは、腹部充当部片１０１の形状が略５角形状でその面積が大きめである点、前裾布３８ａ、３８ｂが腹部充当部片１０１に接ぎ合わされている点を除いては、ほぼ、図８、図９に示したショートタイプのガードルと同様である。
【００９３】
３０ａが着用者の左側の前脇部から後部に充当される左前脇部−後部充当部片であり、３０ｂが着用者の右側の前脇部から後部に充当される右前脇部−後部充当部片である。左前脇部−後部充当部片３０ａと右前脇部−後部充当部片３０ｂはそれぞれ１枚の連続した経編地からなっている。これらの経編地の糸の供給方向は本衣類のほぼ横方向である。こうすると衣類横方向の伸縮性が大きくなり、この衣類の着脱の際にウェストを横に広げやすくなり、衣類の着脱が一層良好になり好ましい。左前脇部−後部充当部片３０ａは、例えば、図２で説明したような経編地原反から得られた経編地Ｎを、人体の立体形状に沿うような形になるよう、左前脇部−後部充当部片３０ａの所定の形状に裁断して用いる。左前脇部−後部充当部片３０ａの３０ａ−２の部分が、図１（ｂ）で説明した緊迫力の相対的に小さい薄地部からなり、３０ａ−１の部分が、図１（ａ）で説明した緊迫力の相対的に大きい厚地部からなっていて、３１ａが厚地部３０ａ−１と薄地部３０ａ−２の編み分け部の境界線である。境界線３１ａは、ヒップの膨らみの周囲を囲むように曲線状になっていて、ヒップの膨らみの下から脇を通りウェスト部に至っている。従って、ヒップの膨らみの部分は、薄地部３０ａ−２でカバーされることになる。
【００９４】
右前脇部−後部充当部片３０ｂは、左前脇部−後部充当部片３０ａとその編み分けパターンが左右線対称になることを除いては同様である。右前脇部−後部充当部片３０ｂにおいては、３０ｂ−２の部分が、緊迫力の相対的に小さい薄地部からなり、３０ｂ−１の部分が、緊迫力の相対的に大きい厚地部からなっていて、３１ｂが厚地部３０ｂ−１と薄地部３０ｂ−２の編み分け部の境界線である。境界線３１ｂは、ヒップの膨らみの周囲を囲むように曲線状になっていて、ヒップの膨らみの下から脇を通りウェスト部に至っている。従って、ヒップの膨らみの部分は、薄地部３０ｂ−２でカバーされることになる。
【００９５】
左前脇部−後部充当部片３０ａの厚地部３０ａ−１と薄地部３０ａ−２とは１枚の経編地中に編み分けにより形成されており、右前脇部−後部充当部片３０ｂの厚地部３０ｂ−１と薄地部３０ｂ−２とにおいても、同様に別の１枚の経編地で構成されている。本ガードルにおいては、腹部中央部から左右の脇腹部までカバーする面積が大きめで略５角形状の形をした腹部充当部片１０１が設けられており、腹部充当部片１０１は図１（ａ）に示したような厚地部のみからなる。腹部充当部片１０１の経編地の糸の供給方向は本衣類のほぼ横方向である。腹部充当部片１０１の左右の下部には、前裾布３８ａ、３８ｂが腹部布１０１にそれぞれ縫合ライン３９ａ、３９ｂで接ぎ合わされている。前裾布３８ａ、３８ｂは更にそのそれぞれ左右の縁が、それぞれ左前脇部−後部充当部片３０ａ、右前脇部−後部充当部片３０ｂと縫合ライン３２ａ、３２ｂで互いに縫合されている。前裾布３８ａ、３８ｂは図１（ａ）に示したような厚地部のみからなり、その編地の糸の供給方向は、その下端部のラインと平行であり、衣類のほぼ横方向である。尚、前裾布３８ａ、３８ｂの下端部は、糸抜きの手法により端しまつを必要としない態様となっている。
【００９６】
腹部充当部片１０１の着用者基準で左側の縁は左前脇部−後部充当部片３０ａの前側の縁と縫製ライン３２ａで互いに縫合されており、腹部充当部片１０１の右側の縁は右前脇部−後部充当部片３０ｂの前側の縁と縫製ライン３２ｂで互いに縫合されている。
【００９７】
また、左前脇部−後部充当部片３０ａと右前脇部−後部充当部片３０ｂとは、後側において後中心を通る縫合ライン３３で相互に縫合されている。尚、裾端部３６ａ、３６ｂが、糸抜きの手法により端しまつを必要としない裾となっている。
【００９８】
３５は、ウエスト部であり、この実施形態ではウエスト部３５の裏側にストレッチテープが縫製により取り付けられている。尚、クロッチ部は図示されていないが、クロッチ部片用の生地は、特に限定はなく、例えば図２や図７などで示した様な経編地から、必要な部片を裁断した後に、余った部分から適当にカットして用いてもよいし、別の生地を用いてもよい。例えば、クロッチ部片として非伸縮性の生地を用いる必要がある場合には、非伸縮性の生地を別途用意すればよい。また、３７ａ、３７ｂは脚部用開口部を示している。
【００９９】
以上の本発明のショートタイプのガードルにおいては、ヒップの膨らみの部分は、薄地部でカバーされており、従ってヒップの丸みがつぶされることなく、ヒップ部の美しいシルエットを保ち、腹部と脇、裾まわりは、厚地部からなるので、ピッタリとフィットして、身体のきれいな立体的シルエットが表現され、着用した場合の窮屈感、締め付け感が少なく、比較的薄くて、軽く、着用しやすく、フィットしやすいショートタイプのガードルを提供できる。更に裾端部が、糸抜きの手法により端しまつを必要としない裾となっているので、裾端部に折り返して縫製された部分が存在しないので、折り返し部分による段差が生じない。従って着用者の外観を低下させることがなく、着用感もよく、軽い衣料とすることができ好ましい。
【０１００】
次に図１２と図１３に本発明の衣類であるショートタイプのガードルの更に別の実施形態を示した。図１２は本発明の衣類であるショートタイプのガードルの前側から見た斜視図、図１３はその後側から見た斜視図である。このショートタイプのガードルはスタンダードな丈のショートガードルである。
【０１０１】
図１２、図１３に示したショートタイプのガードルは、腹部充当部片１０２の形状が略５角形状であるが若干形が異なりその面積が若干小さめである点を除いては、実質上、図１０、図１１に示したショートタイプのガードルと同様である。従って、同じ部分には同じ符号を付した。
【０１０２】
３０ａが着用者の左側の前脇部から後部に充当される左前脇部−後部充当部片であり、３０ｂが着用者の右側の前脇部から後部に充当される右前脇部−後部充当部片である。左前脇部−後部充当部片３０ａと右前脇部−後部充当部片３０ｂはそれぞれ１枚の連続した経編地からなっている。これらの経編地の糸の供給方向は本衣類のほぼ横方向である。こうすると衣類横方向の伸縮性が大きくなり、この衣類の着脱の際にウェストを横に広げやすくなり、衣類の着脱が一層良好になり好ましい。左前脇部−後部充当部片３０ａは、例えば、図２で説明したような経編地原反から得られた経編地Ｎを、人体の立体形状に沿うような形になるよう、左前脇部−後部充当部片３０ａの所定の形状に裁断して用いる。左前脇部−後部充当部片３０ａの３０ａ−２の部分が、図１（ｂ）で説明した緊迫力の相対的に小さい薄地部からなり、３０ａ−１の部分が、図１（ａ）で説明した緊迫力の相対的に大きい厚地部からなっていて、３１ａが厚地部３０ａ−１と薄地部３０ａ−２の編み分け部の境界線である。境界線３１ａは、ヒップの膨らみの周囲を囲むように曲線状になっていて、ヒップの膨らみの下から脇を通りウェスト部に至っている。従って、ヒップの膨らみの部分は、薄地部３０ａ−２でカバーされることになる。
【０１０３】
右前脇部−後部充当部片３０ｂは、左前脇部−後部充当部片３０ａとその編み分けパターンが左右線対称になることを除いては同様である。右前脇部−後部充当部片３０ｂにおいては、３０ｂ−２の部分が、緊迫力の相対的に小さい薄地部からなり、３０ｂ−１の部分が、緊迫力の相対的に大きい厚地部からなっていて、３１ｂが厚地部３０ｂ−１と薄地部３０ｂ−２の編み分け部の境界線である。境界線３１ｂは、ヒップの膨らみの周囲を囲むように曲線状になっていて、ヒップの膨らみの下から脇を通りウェスト部に至っている。従って、ヒップの膨らみの部分は、薄地部３０ｂ−２でカバーされることになる。
【０１０４】
左前脇部−後部充当部片３０ａの厚地部３０ａ−１と薄地部３０ａ−２とは１枚の経編地中に編み分けにより形成されており、右前脇部−後部充当部片３０ｂの厚地部３０ｂ−１と薄地部３０ｂ−２とにおいても、同様に別の１枚の経編地で構成されている。本ガードルにおいては、腹部をカバーする面積が若干大きめの略５角形状の形をした腹部充当部片１０２が設けられており、腹部充当部片１０２は図１（ａ）に示したような厚地部のみからなる。腹部充当部片１０２の経編地の糸の供給方向は本衣類のほぼ横方向である。腹部充当部片１０２の左右の下部には、前裾布３８ａ、３８ｂが腹部充当部片１０２にそれぞれ縫合ライン３９ａ、３９ｂで接ぎ合わされている。前裾布３８ａ、３８ｂは更にそのそれそれ左右の縁が、それぞれ左前脇部−後部充当部片３０ａ、右前脇部−後部充当部片３０ｂと縫合ライン３２ａ、３２ｂで互いに縫合されている。前裾布３８ａ、３８ｂは、図１（ａ）で説明したような厚地部のみからなる。尚、前裾布３８ａ、３８ｂの下端部は、糸抜きの手法により端しまつを必要としない態様となっている。前裾布３８ａ、３８ｂの糸の供給方向はそれぞれの下端部のラインと平行な方向である。従ってこの実施形態例では、前裾布３８ａ、３８ｂの糸の供給方向（編み方向）は、本衣類を基準にすると斜め方向になっている。前裾布３８ａ、３８ｂは、図１（ａ）で説明したような厚地部からなる。
【０１０５】
腹部充当部片１０２の着用者基準で左側の縁は左前脇部−後部充当部片３０ａの前側の縁と縫製ライン３２ａで互いに縫合されており、腹部充当部片１０２の右側の縁は右前脇部−後部充当部片３０ｂの前側の縁と縫製ライン３２ｂで互いに縫合されている。
【０１０６】
また、左前脇部−後部充当部片３０ａと右前脇部−後部充当部片３０ｂとは、後側において後中心を通る縫合ライン３３で相互に縫合されている。尚、裾端部３６ａ、３６ｂが、糸抜きの手法により端しまつを必要としない裾となっている。
【０１０７】
３５ａは、ウエスト充当部片であり、ウエスト充当部片３５ａの生地の素材は、本発明とは特に関係がなく、少なくともガードル横方向に伸縮性を有する生地を例えば２つ折りにして用いればよい。この例では地編みが４４ｄｔｅｘのナイロン糸を用い、挿入糸として１５４ｄｔｅｘのポリウレタン糸が各ウェール毎に１本づつ挿入された衣類横方向に伸縮性を有するワンウェイプレーンパワーネットを用いているが、特に限定されるものではなく、また、必要に応じてストレッチテープなどをこの内側に取り付けてもよい。３４がクロッチ部片であり、クロッチ部片用の生地は、特に限定はなく、例えば図２や図７などで示した様な経編地から、必要な部片を裁断した後に、余った部分から適当にカットして用いてもよいし、別の生地を用いてもよい。例えば、クロッチ部片として非伸縮性の生地を用いる必要がある場合には、非伸縮性の生地を別途用意すればよい。また、３７ａ、３７ｂは脚部用開口部を示している。
【０１０８】
以上の本発明のショートタイプのガードルにおいては、ヒップの膨らみの部分は、薄地部でカバーされており、従ってヒップの丸みがつぶされることなく、ヒップ部の美しいシルエットを保ち、腹部と脇、裾まわりは、厚地部からなるので、ピッタリとフィットして、身体のきれいな立体的シルエットが表現され、着用した場合の窮屈感、締め付け感が少なく、比較的薄くて、軽く、着用しやすく、フィットしやすいショートタイプのガードルを提供できる。更に裾端部が、糸抜きの手法により端しまつを必要としない裾となっているので、裾端部に折り返して縫製された部分が存在しないので、折り返し部分による段差が生じない。従って着用者の外観を低下させることがなく、着用感もよく、軽い衣料とすることができ好ましい。
【０１０９】
次に図１４と図１５に本発明の衣類であるショートタイプのガードルの更に別の実施形態を示した。図１４は本発明の衣類であるショートタイプのガードルの前側から見た斜視図、図１５はその後側から見た斜視図である。このショートタイプのガードルはスタンダードな丈のショートガードルである。
【０１１０】
図１４、図１５に示したショートタイプのガードルは、左前脇部−後部充当部片３０ａと右前脇部−後部充当部片３０ｂに、ヒップ部の膨らみの下から脇を通りウェスト部に至る帯状にカーブしたパターンの厚地部３０ａ−３、３０ｂ−３が経編地の編み分けにより設けられていることと、左前脇部−後部充当部片３０ａと右前脇部−後部充当部片３０ｂに中厚地部が設けられていて、薄地部、厚地部、中厚地部の配置が異なっている点を除いては、実質上、図１２、図１３に示したショートタイプのガードルと同様である。従って、同じ部分には同じ符号を付した。
【０１１１】
３０ａが着用者の左側の前脇部から後部に充当される左前脇部−後部充当部片であり、３０ｂが着用者の右側の前脇部から後部に充当される右前脇部−後部充当部片である。左前脇部−後部充当部片３０ａと右前脇部−後部充当部片３０ｂはそれぞれ１枚の連続した経編地からなっている。これらの経編地の糸の供給方向は本衣類のほぼ横方向である。こうすると衣類横方向の伸縮性が大きくなり、この衣類の着脱の際にウェストを横に広げやすくなり、衣類の着脱が一層良好になり好ましい。左前脇部−後部充当部片３０ａは、例えば、図３で説明したような経編地原反から得られた経編地Ｎを、人体の立体形状に沿うような形になるよう、左前脇部−後部充当部片３０ａの所定の形状に裁断して用いる。左前脇部−後部充当部片３０ａの３０ａ−２の部分が、緊迫力の相対的に小さい薄地部からなり、その周囲にヒップ部の膨らみの下から脇を通りウェスト部に至る帯状にカーブしたパターンの厚地部３０ａ−３が形成されている。帯状にカーブしたパターンの厚地部３０ａ−３の長さについては、その帯の中心ラインの長さ、より正確に表現すれば、当該帯状パターンの長手方向に沿ったカーブした中心ラインの長さで２７ｃｍ、幅は２ｃｍである。もちろんこれらの長さや幅は、ガードルのサイズや種類などに応じて変えることができ、前者は通常２０〜３０ｃｍの長さの範囲から、後者の幅は通常１〜４ｃｍ程度の範囲から選ばれる。
【０１１２】
３０ａ−４の部分が、緊迫力が相対的に薄地部と厚地部のほぼ中間となる中厚地部からなっていて、３１ａ−１が薄地部３０ａ−２と厚地部３０ａ−３の編み分け部の境界線、３１ａ−２が厚地部３０ａ−３と中厚地部３０ａ−４の編み分け部の境界線である。境界線３１ａ−１、３１ａ−２は、ヒップの膨らみの周囲を囲むように曲線状になっていて、ヒップの膨らみの下から脇を通りウェスト部に至っている。従って、ヒップの膨らみの部分は、薄地部３０ａ−２でカバーされヒップの美しい丸みを帯びた膨らみを美しく保ち、その周囲にヒップ部の膨らみの下から脇を通りウェスト部に至る帯状にカーブしたパターンの厚地部３０ａ−３が存在し、ヒップアップなど、ヒップ形状補整機能が発揮されるようになっている。
【０１１３】
右前脇部−後部充当部片３０ｂは、左前脇部−後部充当部片３０ａとその編み分けパターンが左右線対称になることを除いては同様である。右前脇部−後部充当部片３０ｂにおいては、３０ｂ−２の部分が、緊迫力の相対的に小さい薄地部からなり、その周囲にヒップ部の膨らみの下から脇を通りウェスト部に至る帯状にカーブしたパターンの厚地部３０ｂ−３が形成されている。３０ｂ−４の部分が、緊迫力が相対的に薄地部と厚地部のほぼ中間となる中厚地部からなっていて、３１ｂ−１が薄地部３０ｂ−２と厚地部３０ｂ−３の編み分け部の境界線、３１ｂ−２が厚地部３０ｂ−３と中厚地部３０ｂ−４の編み分け部の境界線である。境界線３１ｂ−１、３１ｂ−２は、ヒップの膨らみの周囲を囲むように曲線状になっていて、ヒップの膨らみの下から脇を通りウェスト部に至っている。従って、ヒップの膨らみの部分は、薄地部３０ｂ−２でカバーされヒップの美しい丸みを帯びた膨らみを美しく保ち、その周囲にヒップ部の膨らみの下から脇を通りウェスト部に至る帯状にカーブしたパターンの厚地部３０ｂ−３が存在し、ヒップアップなど、ヒップ形状補整機能が発揮されるようになっている。
【０１１４】
左前脇部−後部充当部片３０ａの薄地部３０ａ−２、厚地部３０ａ−３と中厚地部３０ａ−４とは１枚の経編地中に編み分けにより形成されており、右前脇部−後部充当部片３０ｂの薄地部３０ｂ−２、厚地部３０ｂ−３と中厚地部３０ｂ−４とにおいても、同様に別の１枚の経編地で構成されている。本ガードルにおいては、腹部をカバーする面積が比較的大きめで略５角形状の形をした腹部充当部片１０２が設けられており、腹部充当部片１０２は厚地部のみからなる。腹部充当部片１０２の経編地の糸の供給方向は本衣類のほぼ横方向である。腹部充当部片１０２の左右の下部には、前裾布３８ａ、３８ｂが腹部充当部片１０２にそれぞれ縫合ライン３９ａ、３９ｂで接ぎ合わされている。前裾布３８ａ、３８ｂは更にそのそれそれ左右の縁が、それぞれ左前脇部−後部充当部片３０ａ、右前脇部−後部充当部片３０ｂと縫合ライン３２ａ、３２ｂで互いに縫合されている。前裾布３８ａ、３８ｂは、薄地部のみからなる。尚、前裾布３８ａ、３８ｂの下端部は、糸抜きの手法により端しまつを必要としない態様となっている。前裾布３８ａ、３８ｂの糸の供給方向はそれぞれの下端部のラインと平行な方向である。従ってこの実施形態例では、前裾布３８ａ、３８ｂの糸の供給方向（編み方向）は、本衣類を基準にすると斜め方向になっている。
【０１１５】
腹部充当部片１０２の着用者基準で左側の縁は左前脇部−後部充当部片３０ａの前側の縁と縫製ライン３２ａで互いに縫合されており、腹部充当部片１０２の右側の縁は右前脇部−後部充当部片３０ｂの前側の縁と縫製ライン３２ｂで互いに縫合されている。
【０１１６】
また、左前脇部−後部充当部片３０ａと右前脇部−後部充当部片３０ｂとは、後側において後中心を通る縫合ライン３３で相互に縫合されている。尚、裾端部３６ａ、３６ｂが、糸抜きの手法により端しまつを必要としない裾となっている。
【０１１７】
３５ａは、ウエスト充当部片であり、ウエスト充当部片３５ａの生地の素材は、本発明とは特に関係がなく、少なくともガードル横方向に伸縮性を有する生地を例えば２つ折りにして用いればよい。この例では地編みが４４ｄｔｅｘのナイロン糸を用い、挿入糸として７７ｄｔｅｘのポリウレタン糸が各ウェール毎に１本づつ挿入された衣類横方向に伸縮性を有するワンウェイプレーンパワーネットを用いているが、特に限定されるものではなく、また、必要に応じてストレッチテープなどをこの内側に取り付けてもよい。３４がクロッチ部片であり、クロッチ部片用の生地は、特に限定はなく、例えば図２や図７などで示した様な経編地から、必要な部片を裁断した後に、余った部分から適当にカットして用いてもよいし、別の生地を用いてもよい。例えば、クロッチ部片として非伸縮性の生地を用いる必要がある場合には、非伸縮性の生地を別途用意すればよい。また、３７ａ、３７ｂは脚部用開口部を示している。
【０１１８】
以上の本発明のショートタイプのガードルにおいては、ヒップの膨らみの部分は、薄地部でカバーされており、従ってヒップの丸みがつぶされることなく、ヒップ部の美しいシルエットを保ち、その周囲にヒップ部の膨らみの下から脇を通りウェスト部に至る帯状にカーブしたパターンの厚地部が存在し、ヒップアップなど、ヒップ形状補整機能が発揮されるようになっている。腹部と前裾部は厚地部からなり、脇、後裾まわりは、中厚地部からなるので、ピッタリとフィットして、身体のきれいな立体的シルエットが表現され、着用した場合の窮屈感、締め付け感が少なく、比較的薄くて、軽く、着用しやすく、フィットしやすいショートタイプのガードルを提供できる。更に裾端部が、糸抜きの手法により端しまつを必要としない裾となっているので、裾端部に折り返して縫製された部分が存在しないので、折り返し部分による段差が生じない。従って着用者の外観を低下させることがなく、着用感もよく、軽い衣料とすることができ好ましい。
【０１１９】
次に図１６と図１７に本発明の衣類であるセミロングタイプのガードルの一実施形態を示した。図１６は本発明の衣類であるセミロングタイプのガードルの前側から見た斜視図、図１７にその後側から見た斜視図を示した。
【０１２０】
図１６、図１７に示したセミロングタイプのガードルは、脚部が形成されている点を除いては、ほぼ、図５、図６に示したショートタイプのガードルと同様である。
【０１２１】
５０ａが着用者の左側の前部−脇部−後部−太腿部に充当される左半身充当部片であり、５０ｂが着用者の右側の前部−脇部−後部−太腿部に充当される右半身充当部片である。左半身充当部片５０ａと右半身充当部片５０ｂはそれぞれ１枚の連続した経編地からなっている。これらの経編地の糸の供給方向は本衣類のほぼ横方向である。こうすると衣類横方向の伸縮性が大きくなり、この衣類の着脱の際にウェストを横に広げやすくなり、衣類の着脱が一層良好になり好ましい。左半身充当部片５０ａは、例えば、図２で説明したような経編地原反（但し、コース方向、すなわち矢印Ｓと直角方向、の長さが、図２に示したものより長い経編地）から得られた経編地Ｎを、人体の立体形状に沿うような形になるよう、左半身充当部片の所定の形状に裁断して用いる。左半身充当部片５０ａの５０ａ−２の部分が、図１（ｂ）で説明した緊迫力の相対的に小さい薄地部からなり、５０ａ−１の部分が、図１（ａ）で説明した緊迫力の相対的に大きい厚地部からなっていて、５１ａが厚地部５０ａ−１と薄地部５０ａ−２の編み分け部の境界線である。境界線５１ａは、ヒップの膨らみの周囲を囲むように曲線状になっていて、ヒップの膨らみの下から脇を通りウェスト部に至っている。従って、ヒップの膨らみの部分は、薄地部５０ａ−２でカバーされることになる。
【０１２２】
右半身充当部片５０ｂは、左半身充当部片５０ａとその編み分けパターンが左右線対称になることを除いては同様である。右半身充当部片５０ｂにおいては、５０ｂ−２の部分が、緊迫力の相対的に小さい薄地部からなり、５０ｂ−１の部分が、緊迫力の相対的に大きい厚地部からなっていて、５１ｂが厚地部５０ｂ−１と薄地部５０ｂ−２の編み分け部の境界線である。境界線５１ｂは、ヒップの膨らみの周囲を囲むように曲線状になっていて、ヒップの膨らみの下から脇を通りウェスト部に至っている。従って、ヒップの膨らみの部分は、薄地部５０ｂ−２でカバーされることになる。
【０１２３】
左半身充当部片５０ａの厚地部５０ａ−１と薄地部５０ａ−２とは１枚の経編地中に編み分けにより形成されており、右半身充当部片５０ｂの厚地部５０ｂ−１と薄地部５０ｂ−２とにおいても、同様に別の１枚の経編地で構成されている。左半身充当部片５０ａと右半身充当部片５０ｂとは、前側においては前中心を通るウエスト部から股部までの縫合ライン５２で相互に縫合されており、後側においては後中心を通るウエスト部から股部までの縫合ライン５３で相互に縫合されている。左右の太腿部の縫合部分は、図示されていないが、それぞれの太腿部内側で縫合され、筒状に形成される。尚、後側においては、左半身充当部片５０ａと右半身充当部片５０ｂとは縫合箇所に細幅の伸縮テープを重ねて縫合することによって、ギャザー５４を設けて縫合ライン５３で相互に縫合されている。また、裾端部５６ａ、５６ｂは、糸抜きの手法により端しまつを必要としない裾となっている。
【０１２４】
５５は、ウエスト充当部片であり、ウエスト充当部片５５の生地の素材は、本発明とは特に関係がなく、少なくともガードル横方向に伸縮性を有する生地やストレッチテ−プなどが用いられる。この例ではストレッチテ−プを用いた。
【０１２５】
尚、クロッチ部片５７の生地も、特に限定はなく、例えば図２や後述する図１８などで示した様なで示した経編地から、左半身充当部片５０ａを裁断した後に、余った部分、例えば厚地部３から適当にカットして用いてもよいし、別の生地を用いてもよい。例えば、クロッチ部片として非伸縮性の生地を用いる必要がある場合には、非伸縮性の生地を別途用意すればよい。
【０１２６】
図１８に図１６、図１７に示したセミロングタイプのガードルの左半身充当部片５０ａとクロッチ部片５７に用いられる生地の裁断前の平面図を示した。
【０１２７】
すなわち図１８は、図２を用いて説明したと同様の方法によって得られ、薄地部と厚地部が所定の編み密度比になるように調整された本発明の経編地Ｎに、左半身充当部片５０ａとクロッチ部片５７の裁断ラインを点線で示した生地の平面図である。
【０１２８】
図１８において、８が経編地Ｎであり、実線ラインＰ−Ｑ−Ｒで囲まれた範囲内が、薄地部２であり、その範囲の外側が厚地部３からなる生地を用いる。矢印Ｓの方向が糸の供給方向であり、ウェール方向である。経編地Ｎ８中に示された点線ラインＡ−Ｂ−Ｃ−Ｄ−Ｅ−Ｆ−Ｇ−Ｈ−Ａは図１６、図１７で示したガードルの左半身充当部片５０ａを得るための裁断ラインを示したものである。また、経編地Ｎ８中に示された点線ラインＩ−Ｊ−Ｋ−Ｌ−Ｉは図１６、図１７に示したセミロングタイプのガードルのクロッチ部片５７用の裁断ラインを示したものである。また、図示していないが、このガードルの右半身充当部片５０ｂの裁断ラインは、図１８に示した図と左右線対称となる。
【０１２９】
図１８において、Ａ−Ｂラインは図示していない右半身充当部片５０ｂの同様な対応部分と縫合されて前中心を通るウェスト部から股部までの縫合ライン５２となる。また、Ｈ−Ｇラインは図示していない右半身充当部片５０ｂの同様な対応部分と縫合されて後中心を通るウェスト部から股部までの縫合ライン５３となる。クロッチ部片９は、Ｋ−Ｊ−Ｉのラインが前側であり、Ｌが後側になる。クロッチ部片５７と左半身充当部片５０ａとの縫合については、Ｊ−ＩラインがＢ−Ｃラインと縫合され、Ｊ−Ｋラインは、Ｂ−Ｃラインに相当する右半身充当部片５０ｂの同様な対応部分と縫合される。また、Ｉ−ＬラインがＧ−Ｆラインと縫合され、Ｋ−Ｌラインは、Ｇ−Ｆラインに相当する右半身充当部片５０ｂの同様な対応部分と縫合される。また、Ｃ−ＤラインはＦ−Ｅラインと縫合され、筒状になって左の脚部を形成する。右半身充当部片５０ｂにおいても、同様に、Ｃ−Ｄラインに相当するラインがＦ−Ｅラインに相当するラインと縫合され、筒状になって右の脚部を形成する。Ａ−Ｈラインは、図１８中には図示されていない前述したウェスト充当部片５５（図１６、図１７参照）が縫合される。
【０１３０】
左半身充当部片５０ａの厚地部５０ａ−１と薄地部５０ａ−２とは１枚の経編地Ｎ中に編み分けにより形成されており、５１ａが厚地部５０ａ−１と薄地部５０ａ−２の編み分け部の曲線状の境界線である。かくして、図１６〜図１７に示したセミロングタイプのガードルを作成することができる。
【０１３１】
以上の本発明のセミロングタイプのガードルにおいては、ヒップの膨らみの部分は、薄地部でカバーされており、従ってヒップの丸みがつぶされることなく、ヒップ部の美しいシルエットを保ち、腹部と脇、太腿部、裾まわりは、厚地部からなるので、ピッタリとフィットして、身体のきれいな立体的シルエットが表現され、着用した場合の窮屈感、締め付け感が少なく、比較的薄くて、軽く、着用しやすく、フィットしやすいセミロングタイプのガードルを提供できる。更に裾端部が、糸抜きの手法により端しまつを必要としない裾となっているので、裾端部に折り返して縫製された部分が存在しないので、折り返し部分による段差が生じない。従って着用者の外観を低下させることがなく、着用感もよく、軽い衣料とすることができ好ましい。
【０１３２】
次に図１９と図２０に本発明の衣類であるロングタイプのガードルの一実施形態を示した。図１９は本発明の衣類であるロングタイプのガードルの前側から見た斜視図、図２０はその後側から見た斜視図である。
【０１３３】
図１９、図２０に示したロングタイプのガードルは、脚部が形成されている点を除いては、ほぼ、図８、図９に示したショートタイプのガードルとほぼ同様である。
【０１３４】
６０ａが着用者の左側の前脇部から後部並びに太腿部を充当する左前脇部−後部−太腿部充当部片（以下、これを左充当部片６０ａと略称する）であり、６０ｂが着用者の右側の前脇部から後部並びに太腿部に充当される右前脇部−後部−太腿部充当部片（以下、これを右充当部片６０ｂと略称する）である。左充当部片６０ａと右充当部片６０ｂはそれぞれ１枚の連続した経編地からなっている。これらの経編地の糸の供給方向は本衣類のほぼ横方向である。こうすると衣類横方向の伸縮性が大きくなり、この衣類の着脱の際にウェストを横に広げやすくなり、衣類の着脱が一層良好になり好ましい。左充当部片６０ａは、例えば、図２で説明したような経編地原反（但し、コース方向、すなわち矢印Ｓと直角方向、の長さが、図２に示したものより長い経編地）から得られた経編地Ｎを、人体の立体形状に沿うような形になるよう、左充当部片６０ａの所定の形状に裁断して用いる。左充当部片６０ａの６０ａ−２の部分が、図１（ｂ）で説明した緊迫力の相対的に小さい薄地部からなり、６０ａ−１の部分が、図１（ａ）で説明した緊迫力の相対的に大きい厚地部からなっていて、６１ａが厚地部６０ａ−１と薄地部６０ａ−２の編み分け部の境界線である。境界線６１ａは、ヒップの膨らみの周囲を囲むように曲線状になっていて、ヒップの膨らみの下から脇を通りウェスト部に至っている。従って、ヒップの膨らみの部分は、薄地部６０ａ−２でカバーされることになる。
【０１３５】
右充当部片６０ｂは、左充当部片６０ａとその編み分けパターンが左右線対称になることを除いては同様である。右充当部片６０ｂにおいては、６０ｂ−２の部分が、緊迫力の相対的に小さい薄地部からなり、６０ｂ−１の部分が、緊迫力の相対的に大きい厚地部からなっていて、６１ｂが厚地部６０ｂ−１と薄地部６０ｂ−２の編み分け部の境界線である。境界線６１ｂは、ヒップの膨らみの周囲を囲むように曲線状になっていて、ヒップの膨らみの下から脇を通りウェスト部に至っている。従って、ヒップの膨らみの部分は、薄地部６０ｂ−２でカバーされることになる。
【０１３６】
左充当部片６０ａの厚地部６０ａ−１と薄地部６０ａ−２とは１枚の経編地中に編み分けにより形成されており、右充当部片６０ｂの厚地部６０ｂ−１と薄地部６０ｂ−２とにおいても、同様に別の１枚の経編地で構成されている。本ガードルにおいては、腹部中央部に略逆三角形状の形をした腹部充当部片１０４が設けられており、腹部充当部片１０４は図１（ａ）に示したような厚地部のみからなる。腹部充当部片１０４の経編地の糸の供給方向は本衣類のほぼ横方向である。腹部充当部片１０４の着用者基準で左側の縁は左充当部片６０ａの前側の縁と縫合ライン６２ａで互いに縫合されており、腹部充当部片１０４の右側の縁は右充当部片６０ｂの前側の縁と縫合ライン６２ｂで互いに縫合されている。
【０１３７】
また、左充当部片６０ａと右充当部片６０ｂとは、後側において後中心を通るウエスト部から股部までの縫合ライン６３で相互に縫合されている。左右の太腿部の縫合部分は、図示されていないが、それぞれの太腿部内側で縫合され、筒状に形成される。尚、後側においては、左充当部片６０ａと右充当部片６０ｂとはギャザー６４を設けて縫合ライン６３で相互に縫合されている。また、裾端部６６ａ、６６ｂは、糸抜きの手法により端しまつを必要としない裾となっている。
【０１３８】
６５は、ウエスト部であり、この実施形態ではウエスト部６５の裏側にストレッチテープが縫製により取り付けられている。尚、クロッチ部片６７の生地は、特に限定はなく、例えば図２や図１８などで示した様な経編地から、必要な部片を裁断した後に、余った部分から適当にカットして用いてもよいし、別の生地を用いてもよい。例えば、クロッチ部片として非伸縮性の生地を用いる必要がある場合には、非伸縮性の生地を別途用意すればよい。
【０１３９】
以上の本発明のロングタイプのガードルにおいては、ヒップの膨らみの部分は、薄地部でカバーされており、従ってヒップの丸みがつぶされることなく、ヒップ部の美しいシルエットを保ち、腹部と脇、太腿部、裾まわりは、厚地部からなるので、ピッタリとフィットして、身体のきれいな立体的シルエットが表現され、着用した場合の窮屈感、締め付け感が少なく、比較的薄くて、軽く、着用しやすく、フィットしやすいロングタイプのガードルを提供できる。更に裾端部が、糸抜きの手法により端しまつを必要としない裾となっているので、裾端部に折り返して縫製された部分が存在しないので、折り返し部分による段差が生じない。従って着用者の外観を低下させることがなく、着用感もよく、軽い衣料とすることができ好ましい。
【０１４０】
なお、ヒップ部と股部を有するボトム衣類のうち、ガードルとショーツについては、ガードルと呼ぶかショーツと呼ぶかは、緊迫力などのパワーの違いによって区別することもあれば、１枚だけで肌に直接着用できるか（肌に直接着用しても不快でないか）、１枚だけで肌に直接着用することが困難であるか（肌に直接着用した場合に不快である）、と言ったことでも区別される。
【０１４１】
多少、緊迫力が強いものでも、直接肌に着用できるものなどはショーツと呼ぶこともある。本発明品を１枚だけで直接肌に着用するか、その下に別途ショーツを着用するかは、着用者により異なる。本実施形態における本発明品は、ガードルともショーツとも呼べる、特徴を備えたものである。
【０１４２】
次に図２１と図２２に本発明の衣類であるボディスーツの一実施形態を示した。図２０は本発明の衣類であるボディスーツの前側から見た斜視図、図２１はその後側から見た斜視図である。
【０１４３】
図２１、図２２に示したボディスーツは、ウェスト部より上側に、乳房カップ部を有する上半身部が更に形成されている点を除いて、下半身部は、図８、図９に示したショートタイプのガードルと類似している態様である。
【０１４４】
尚、図２１においては後側に見える部分の肩紐８６の図示を省略している。この部分は図２２を参照すれば理解される。また図２２においては、肩紐８６は一部図示を省略しており、また肩紐の間に見えるはずの右側の乳房カップ近傍と右脇近傍部分の図示を省略している。これらを図２２に記載すると図が複雑になり理解しにくくなるとともに、図２１で十分理解できるからである。
【０１４５】
７０ａが着用者の左側の前脇部から後部を充当する左前脇部−後部充当部片（以下、これを左充当部片７０ａと略称する）であり、７０ｂが着用者の右側の前脇部から後部に充当される右前脇部−後部充当部片（以下、これを右充当部片７０ｂと略称する）である。左充当部片７０ａと右充当部片７０ｂはそれぞれ１枚の連続した経編地からなっていて、上下方向に長く、その上端は乳房カップ部の下側から脇側まで伸びており、背面側においては、背中の中間まで伸びている。これらの経編地の糸の供給方向は本衣類のほぼ横方向である。こうすると衣類横方向の伸縮性が大きくなり、この衣類の着脱の際に衣類を横に広げやすくなり、衣類の着脱が一層良好になり好ましい。左充当部片７０ａは、例えば、図１８で説明したような経編地Ｎ８（但し、コース方向、すなわち矢印Ｓと直角方向、の長さが、図１８に示したものより長く、厚地部と薄地部の編み分けパターンを本件ボディスーツに適合し得るパターンにした経編地）から得られた経編地Ｎを、人体の立体形状に沿うような形になるよう、左充当部片７０ａの所定の形状に裁断して用いる。左充当部片７０ａの７０ａ−２の部分が、図１（ｂ）で説明した緊迫力の相対的に小さい薄地部からなり、７０ａ−１の部分が、図１（ａ）で説明した緊迫力の相対的に大きい厚地部からなっていて、７１ａ及び７１ａ−２が厚地部７０ａ−１と薄地部７０ａ−２の編み分け部の境界線である。境界線７１ａは、ヒップの膨らみの周囲を囲むように曲線状になっていて、ヒップの膨らみの下から脇を通りウェスト部に至っている。境界線７１ａ−２は、ウェストラインまたはその若干下側に沿って衣類のほぼ横方向に走る境界線である。従って、ヒップの膨らみの部分は、薄地部７０ａ−２でカバーされることになる。
【０１４６】
右充当部片７０ｂは、左充当部片７０ａとその編み分けパターンが左右線対称になることを除いては同様である。右充当部片７０ｂにおいては、７０ｂ−２の部分が、緊迫力の相対的に小さい薄地部からなり、７０ｂ−１の部分が、緊迫力の相対的に大きい厚地部からなっていて、７１ｂ及び７１ｂ−２が厚地部７０ｂ−１と薄地部７０ｂ−２の編み分け部の境界線である。境界線７１ｂは、ヒップの膨らみの周囲を囲むように曲線状になっていて、ヒップの膨らみの下から脇を通りウェスト部に至っている。境界線７１ｂ−２は、ウェストラインまたはその若干下側に沿って衣類のほぼ横方向に走る境界線である。従って、ヒップの膨らみの部分は、薄地部７０ｂ−２でカバーされることになる。
【０１４７】
左充当部片７０ａの厚地部７０ａ−１と薄地部７０ａ−２とは１枚の経編地中に編み分けにより形成されており、右充当部片７０ｂの厚地部７０ｂ−１と薄地部７０ｂ−２とにおいても、同様に別の１枚の経編地で構成されている。本ボディスーツにおいては、乳房カップ部８０の下側から胸部と腹部中央部を通り、クロッチ部片７８に向かって略逆三角形状の形をした胸部−腹部充当部片１０５が設けられており、胸部−腹部充当部片１０５は図１（ａ）に示したような厚地部のみからなる。胸部−腹部充当部片１０５の経編地の糸の供給方向は本衣類のほぼ横方向である。胸部−腹部充当部片１０５の着用者基準で左側の縁は左充当部片７０ａの前側の縁と縫合ライン７２ａで互いに縫合されており、胸部−腹部充当部片１０５の右側の縁は右充当部片７０ｂの前側の縁と縫合ライン７２ｂで互いに縫合されている。
【０１４８】
また、左充当部片７０ａと右充当部片７０ｂとは、後側において後中心を通る縫合ライン７３で相互に縫合されている。尚、後側においては、左充当部片７０ａと右充当部片７０ｂとはギャザー７４を設けて縫合ライン７３で相互に縫合されている。また、裾端部７６ａ、７６ｂは、糸抜きの手法により端しまつを必要としない裾となっている。
【０１４９】
クロッチ部片７８の生地は、特に限定はなく、ボディスーツのクロッチ部片に通常使用されているものなどが適宜使用できる。
【０１５０】
また、８０は乳房カップ部であり、この実施形態においては、乳房カップ部８０の生地は、本発明で言う経編地Ｎとは関係なく、ボディスーツの乳房カップ部として通常使用されているものなどが適宜使用できる。尚、７７ａ、７７ｂは、脚部用開口部を示している。
【０１５１】
以上の本発明のボディスーツにおいては、ヒップの膨らみの部分は、薄地部でカバーされており、従ってヒップの丸みがつぶされることなく、ヒップ部の美しいシルエットを保ち、腹部と脇、裾まわりは、厚地部からなるので、ピッタリとフィットして、身体のきれいな立体的シルエットが表現され、着用した場合の窮屈感、締め付け感が少なく、比較的薄くて、軽く、着用しやすく、フィットしやすいボディスーツを提供できる。更に裾端部が、糸抜きの手法により端しまつを必要としない裾となっているので、裾端部に折り返して縫製された部分が存在しないので、折り返し部分による段差が生じない。従って着用者の外観を低下させることがなく、着用感もよく、軽い衣料とすることができ好ましい。
【０１５２】
次に図２３と図２４に本発明の衣類であるフィットタイプのスリップ（身体に密着するタイプのスリップ）の一実施形態を示した。図２３は本発明の衣類であるフィットタイプのスリップの前側から見た正面図、図２４はその後側から見た背面図である。
【０１５３】
図２３、図２４に示したスリップは、人体前側を胸部から脚部ほぼ中間までを覆う前側充当部片９０と、人体後側を背中部から脚部ほぼ中間までを覆う後側充当部片９５との２枚の経編地が、左右の脇側で縫合ライン９２ａ、９２ｂで互いに縫合されており、肩紐９６が取り付けられている。前側充当部片９０及び後側充当部片９５は、その外周形状が、人体の立体形状に沿うような形になるよう、所定の形状に裁断したものを上述のように左右の脇側で縫合ライン９２ａ、９２ｂで互いに縫合している。
【０１５４】
前側充当部片９０も後側充当部片９５も、それぞれ１枚の連続した経編地からなり、これらの経編地の糸の供給方向は本衣類のほぼ横方向である。こうすることにより衣類横方向の伸縮性が大きくなり、この衣類の着脱の際に衣類を横に広げやすくなり、衣類の着脱が一層良好になり好ましい。
【０１５５】
前側充当部片９０は、１枚の経編地中に厚地部と薄地部が編み分けにより形成されており、前側充当部片９０は、左右の乳房を覆う部分９０ａ−２、９０ｂ−２の部分が、図１（ｂ）で説明した緊迫力の相対的に小さい薄地部からなり、９０−１の部分が、図１（ａ）で説明した緊迫力の相対的に大きい厚地部からなっていて、９１ａ及び９１ｂが厚地部９０−１と薄地部９０ａ−２、９０ｂ−２との編み分け部の境界線である。境界線９１ａ及び９１ｂはそれぞれ左右の乳房の膨らみの周囲を囲むように曲線状（略楕円状）になっている境界線である。従って、乳房の膨らみの部分は、薄地部９０ａ−２と９０ｂ−２でカバーされることになる。
【０１５６】
後側充当部片９５は、図１（ａ）に示したような厚地部のみからなる。
【０１５７】
また、裾端部９３、９４は、裾部のほつれを防止するため、下端部を内側に折り返して縫製したものであるが、必要に応じて、糸抜きの手法により端しまつを必要としない裾としてもよい。
【０１５８】
以上の本発明のスリップにおいては、乳房の膨らみの部分は、薄地部でカバーされており、従って乳房の美しい膨らみがつぶされることなく、バスト部の美しいシルエットを保ち、その他の部分は厚地部からなるので、ピッタリとフィットして、身体のきれいな立体的シルエットが表現され、着用した場合の窮屈感、締め付け感が少なく、比較的薄くて、軽く、着用しやすく、フィットしやすいスリップを提供できる。また、裾端部を、糸抜きの手法により端しまつを必要としない裾とした場合には、裾端部に折り返して縫製された部分が存在しないので、折り返し部分による段差が生じない。従って着用者の外観を低下させることがなく、着用感もよく、軽い衣料とすることができ好ましい。
【０１５９】
次に図２５と図２６に本発明の衣類であるフィットタイプのキャミソール（身体に密着するタイプのキャミソール）の一実施形態を示した。図２５は本発明の衣類であるフィットタイプのキャミソールの前側から見た正面図、図２６はその後側から見た背面図である。
【０１６０】
図２５、図２６に示したキャミソールは、人体前側を胸部から下腹部までを覆う前側充当部片１１０と、人体後側を背中部から下臀部までを覆う左後部充当部片１１３ａ、右後部充当部片１１３ｂとの３枚の経編地からなっている。
【０１６１】
前側充当部片１１０、左後部充当部片１１３ａ、右後部充当部片１１３ｂは、それぞれその外周形状が、人体の立体形状に沿うような形になるよう、所定の形状に裁断し、前側充当部片１１０の左側の縁部と左後部充当部片１１３ａの左側の縁部とは、脇側の縫合ライン１１２ａで互いに縫合されており、前側充当部片１１０の右側の縁部と右後部充当部片１１３ｂの右側の縁部とは、脇側の縫合ライン１１２ｂで互いに縫合されている。更に、背面側においては、左後部充当部片１１３ａと右後部充当部片１１３ｂとが、後中心の縫合ライン１１６で互いに縫合されている。肩紐１１７は、前側充当部片１１０の上縁部と左後部充当部片１１３ａの上縁部、また、前側充当部片１１０の上縁部と右後部充当部片１１３ｂの上縁部に取り付けられている。
【０１６２】
前側充当部片１１０、左後部充当部片１１３ａ、右後部充当部片１１３ｂは、それぞれ１枚の連続した経編地からなり、これらの経編地の糸の供給方向は本衣類のほぼ横方向である。こうすることにより衣類横方向の伸縮性が大きくなり、この衣類の着脱の際に衣類を横に広げやすくなり、衣類の着脱が一層良好になり好ましい。
【０１６３】
前側充当部片１１０は、１枚の経編地中に厚地部と薄地部が編み分けにより形成されており、前側充当部片１１０は、左右の乳房を覆う部分１１０ａ−２、１１０ｂ−２の部分が、図１（ｂ）で説明した緊迫力の相対的に小さい薄地部からなり、１１０−１の部分が、図１（ａ）で説明した緊迫力の相対的に大きい厚地部からなっていて、１１１ａ及び１１１ｂが厚地部１１０−１と薄地部１１０ａ−２、１１０ｂ−２との編み分け部の境界線である。境界線１１１ａ及び１１１ｂはそれぞれ左右の乳房の膨らみの周囲を囲むように曲線状（略楕円状）になっている境界線である。従って、乳房の膨らみの部分は、薄地部１１０ａ−２と１１０ｂ−２でカバーされることになる。
【０１６４】
左後部充当部片１１３ａ及び右後部充当部片１１３ｂは、図１（ａ）に示したような厚地部のみからなる。
【０１６５】
また、裾端部１１４、１１５ａ、１１５ｂは、裾部のほつれを防止するため、下端部を内側に折り返して縫製したものであるが、必要に応じて、糸抜きの手法により端しまつを必要としない裾としてもよい。
【０１６６】
以上の本発明のキャミソールにおいては、乳房の膨らみの部分は、薄地部でカバーされており、従って乳房の美しい膨らみがつぶされることなく、バスト部の美しいシルエットを保ち、その他の部分は厚地部からなるので、ピッタリとフィットして、身体のきれいな立体的シルエットが表現され、着用した場合の窮屈感、締め付け感が少なく、比較的薄くて、軽く、着用しやすく、フィットしやすいキャミソールを提供できる。また、裾端部を、糸抜きの手法により端しまつを必要としない裾とした場合には、裾端部に折り返して縫製された部分が存在しないので、折り返し部分による段差が生じない。従って着用者の外観を低下させることがなく、着用感もよく、軽い衣料とすることができ好ましい。
【０１６７】
以上、上記の実施の形態例においては、いずれも、図１（ａ）や（ｂ）などの各筬に通す糸としては、各筬のＪに相当する筬、すなわち地編の表側に表れる編組織を構成する糸には２７．５ｄｔｅｘ／２４フィラメントのナイロン糸、Ｌ２に相当する筬には３３ｄｔｅｘ／１２フィラメントのナイロン糸、Ｌ３に相当する筬には１５４ｄｔｅｘのスパンデクス糸、Ｌ４に相当する筬には４４ｄｔｅｘのスパンデクス糸をそれぞれ使用した。中厚地などが存在する場合も同様である。
【０１６８】
そして、編み立て幅３２６ｃｍの経編地を前述した経編地の処理により、加工仕上がり幅が２００ｃｍにしたものを使用した。
【０１６９】
厚地部の最もウェール密度の大きい部分のウェール密度Ａは５１であり、薄地部の最もウェール密度の小さい部分のウェール密度Ｂは３４（ウェール／２．５４ｃｍ）であった。並びに中厚地部のウェール密度は４５（ウェール／２．５４ｃｍ）であった。厚地部と薄地部の編み密度の差が１７（ウェール／２．５４ｃｍ）であり、差が大きいことが認められた。ちなみに、先に言及したＷＯ９９／５３７７９号で提案された衣類の実施品“ベビーヒップパンツ”（株式会社ワコール製ロングタイプのガードル）は、ウェール密度の差は品番により若干異なるが、ウェール密度の差が３〜５（ウェール／２．５４ｃｍ）と少ないものであった。
【０１７０】
また、上記の実施の形態例において用いた経編地Ｎの厚地部の目付は１８３ｇ／ｍ2であり、薄地部の目付は１６８ｇ／ｍ2であった。ちなみに、上記市販の“ベビーヒップパンツ”の品番ＧＳＣ２６０の厚地部の目付は１９９ｇ／ｍ2であり、薄地部の目付は１９２ｇ／ｍ2であり、本発明品が軽く、且つ目付差の付いた衣類に仕上げられていることがわかる。
【０１７１】
【発明の効果】
本発明の身体にフィットさせて着用するタイプの伸縮性を有する衣類は、地編が非弾性糸で編まれ、更に２３１ｄｔｅｘ以下の弾性糸が挿入されてなる伸縮性経編地からなる身体にフィットさせて着用するタイプの衣類に於て、身体にフィットさせる部分の緊迫力の強弱の要求に応じて非弾性糸からなる地編の表側にあらわれる編組織をジャカード制御による編み分けにより厚地部と薄地部がパターン状に編み分けられて形成されていて、前記厚地部と薄地部の編み分け部の境界線の少なくとも１つが曲線状であって、且つ、厚地部のウェール密度Ａと薄地部のウェール密度Ｂが、０．６Ａ≦Ｂ≦０．８Ａの範囲に入る部分を有する経編地Ｎであって、前記経編地Ｎは、経編地Ｎの編み立て幅をＸ、仕上がり幅をＹとすると、０．５８Ｘ≦Ｙ≦０．６５Ｘの範囲の仕上がり幅で得られた経編地である経編地Ｎを少なくとも用いて形成された身体にフィットさせて着用するタイプの伸縮性を有する衣類であるので、身体の膨らんでいるところは、その膨らみをつぶさずに、きれいに膨らみ、身体の膨らんでいない部分にピッタリとフィットして、身体の立体的シルエットに沿い、着用した場合の窮屈感、締め付け感が少なく、比較的薄くて、軽く、着用しやすく、フィットしやすく、尚且つ多少の体型補整機能も具備した身体にフィットさせて着用するタイプの伸縮性を有する衣類を提供できる。
【図面の簡単な説明】
【図１】  本発明で用いるジャカード制御されたシングルラッセル経編地の編み組織の一例を示した図。
【図２】  本発明で用いる経編地Ｎ用の原反の編み方を説明するための平面図。
【図３】  本発明で用いる別の経編地Ｎ用の原反の編み方を説明するための平面図。
【図４】  図２のような編分けパターンを有する経編地Ｎ用の原反編地で、左側用のパーツと右側用のパーツを左右線対称に配置して同時に編まれた編地の平面図。
【図５】  本発明の衣類であるショートタイプのガードルの前側から見た斜視図。
【図６】  図５のショートタイプのガードルの後側から見た斜視図。
【図７】  図５、図６に示したショートタイプのガードルの左半身充当部片１０ａとクロッチ部片に用いられる生地の裁断前の平面図。
【図８】  本発明の衣類であるショートタイプのガードルの前側から見た斜視図。
【図９】  図８のショートタイプのガードルの後側から見た斜視図。
【図１０】  本発明の衣類であるショートタイプのガードルの前側から見た斜視図。
【図１１】  図１０のショートタイプのガードルの後側から見た斜視図。
【図１２】  本発明の衣類であるショートタイプのガードルの前側から見た斜視図。
【図１３】  図１２のショートタイプのガードルの後側から見た斜視図。
【図１４】  本発明の衣類であるショートタイプのガードルの前側から見た斜視図。
【図１５】  図１４のショートタイプのガードルの後側から見た斜視図。
【図１６】  本発明の衣類であるセミロングタイプのガードルの前側から見た斜視図。
【図１７】  図１６のセミロングタイプのガードルの後側から見た斜視図。
【図１８】  図１６、図１７に示したセミロングタイプのガードルの左半身充当部片５０ａとクロッチ部片５７に用いられる生地の裁断前の平面図
【図１９】  本発明の衣類であるロングタイプのガードルの前側から見た斜視図。
【図２０】  図１９のロングタイプのガードルの後側から見た斜視図。
【図２１】  本発明の衣類であるボディスーツの前側から見た斜視図。
【図２２】  図２１のボディスーツの後側から見た斜視図。
【図２３】  本発明の衣類であるフィットタイプのスリップの前側から見た正面図。
【図２４】  図２３のフィットタイプのスリップの後側から見た背面図。
【図２５】  本発明の衣類であるフィットタイプのキャミソールの前側から見た正面図。
【図２６】  図２５のフィットタイプのキャミソールの後側から見た背面図。
【符号の説明】
１            経編地
２            薄地部
３            厚地部
４            中厚地部
５            編地をつないで編むための挿入糸６が挿入されている部分
６            挿入糸
８            経編地Ｎ
９            クロッチ部片
１０ａ        左半身充当部片
１０ｂ        右半身充当部片
１０ａ−１、１０ｂ−１    厚地部
１０ａ−２、１０ｂ−２    薄地部
１１ａ        厚地部１０ａ−１と薄地部１０ａ−２の編み分け部の境界線
１１ｂ        厚地部１０ｂ−１と薄地部１０ｂ−２の編み分け部の境界線
１２          前中心を通る縫合ライン
１３          後中心を通る縫合ライン
１４          ギャザー
１５          ウエスト充当部片
１６ａ、１６ｂ    裾端部
１７ａ、１７ｂ    脚部用開口部
２０ａ        左前脇部−後部充当部片
２０ｂ        右前脇部−後部充当部片
２０ａ−１    厚地部
２０ａ−２    薄地部
２０ｂ−１    厚地部
２０ｂ−２    薄地部
２１ａ        厚地部２０ａ−１と薄地部２０ａ−２の編み分け部の境界線
２１ｂ        厚地部２０ｂ−１と薄地部２０ｂ−２の編み分け部の境界線
２２ａ        縫合ライン
２２ｂ        縫合ライン
２３          後中心を通る縫合ライン
２５          ウエスト部
２６ａ、２６ｂ    裾端部
２７ａ、２７ｂ    脚部用開口部
３０ａ        左前脇部−後部充当部片
３０ｂ        右前脇部−後部充当部片
３０ａ−１        厚地部
３０ａ−２        薄地部
３０ａ−３        厚地部
３０ａ−４        中厚地部
３０ｂ−１        厚地部
３０ｂ−２        薄地部
３０ｂ−３        厚地部
３０ｂ−４        中厚地部
３１ａ        厚地部３０ａ−１と薄地部３０ａ−２の編み分け部の境界線
３１ｂ        厚地部３０ｂ−１と薄地部３０ｂ−２の編み分け部の境界線
３２ａ、３２ｂ    縫合ライン
３３          後中心を通る縫合ライン
３４          クロッチ部片
３５          ウエスト部
３５ａ        ウエスト充当部片
３６ａ、３６ｂ    裾端部
３７ａ、３７ｂ    脚部用開口部
３８ａ、３８ｂ    前裾布
３９ａ、３９ｂ    縫合ライン
５０ａ        左半身充当部片
５０ｂ        右半身充当部片
５０ａ−１    厚地部
５０ａ−２    薄地部
５０ｂ−１    厚地部
５０ｂ−２    薄地部
５１ａ        厚地部５０ａ−１と薄地部５０ａ−２の編み分け部の境界線
５１ｂ        厚地部５０ｂ−１と薄地部５０ｂ−２の編み分け部の境界線
５２          前中心を通るウエスト部から股部までの縫合ライン
５３          後中心を通るウエスト部から股部までの縫合ライン
５４          ギャザー
５５          ウエスト充当部片
５６ａ、５６ｂ    裾端部
５７          クロッチ部片
６０ａ        左前脇部−後部−太腿部充当部片
６０ｂ        右前脇部−後部−太腿部充当部片
６０ａ−１    厚地部
６０ａ−２    薄地部
６０ｂ−１    厚地部
６０ｂ−２    薄地部
６１ａ        厚地部６０ａ−１と薄地部６０ａ−２の編み分け部の境界線
６１ｂ        厚地部６０ｂ−１と薄地部６０ｂ−２の編み分け部の境界線
６２ａ、６２ｂ    縫合ライン
６３          後中心を通るウエスト部から股部までの縫合ライン
６４          ギャザー
６５          ウエスト部
６６ａ、６６ｂ    裾端部
６７          クロッチ部片
７０ａ        左前脇部−後部充当部片
７０ｂ        右前脇部−後部充当部片
７０ａ−１    厚地部
７０ａ−２    薄地部
７０ｂ−１    厚地部
７０ｂ−２    薄地部
７１ａ、７１ａ−２    厚地部７０ａ−１と薄地部７０ａ−２の編み分け部の境界線
７１ｂ、７１ｂ−２    厚地部７０ｂ−１と薄地部７０ｂ−２の編み分け部の境界線
７２ａ、７２ｂ    縫合ライン
７３          後中心を通る縫合ライン
７４          ギャザー
７６ａ、７６ｂ    裾端部
７７ａ、７７ｂ    脚部用開口部
７８          クロッチ部片
８０          乳房カップ部
８６          肩紐
９０          前側充当部片
９０ａ−２、９０ｂ−２    薄地部
９０−１      厚地部
９１ａ        厚地部９０−１と薄地部９０ａ−２との編み分け部の境界線
９１ｂ        厚地部９０−１と薄地部９０ｂ−２との編み分け部の境界線
９２ａ、９２ｂ    縫合ライン
９３、９４    裾端部
９５          後側充当部片
９６          肩紐
１００        腹部充当部片
１０１        腹部充当部片
１０２        腹部充当部片
１０４        腹部充当部片
１０５        胸部−腹部充当部片
１１０        前側充当部片
１１０−１    厚地部
１１０ａ−２、１１０ｂ−２  薄地部
１１１ａ  厚地部１１０−１と薄地部１１０ａ−２との編み分け部の境界線
１１１ｂ  厚地部１１０−１と薄地部１１０ｂ−２との編み分け部の境界線
１１２ａ、１１２ｂ    縫合ライン
１１３ａ      左後部充当部片
１１３ｂ      右後部充当部片
１１４        裾端部
１１５ａ、１１５ｂ    裾端部
１１６        後中心の縫合ライン
１１７        肩紐
【図１】
0003996372.tif 000002
【図２】
0003996372.tif 000003
【図３】
0003996372.tif 000004
【図４】
0003996372.tif 000005
【図５】
0003996372.tif 000006
【図６】
0003996372.tif 000007
【図７】
0003996372.tif 000008
【図８】
0003996372.tif 000009
【図９】
0003996372.tif 000010
【図１０】
0003996372.tif 000011
【図１１】
0003996372.tif 000012
【図１２】
0003996372.tif 000013
【図１３】
0003996372.tif 000014
【図１４】
0003996372.tif 000015
【図１５】
0003996372.tif 000016
【図１６】
0003996372.tif 000017
【図１７】
0003996372.tif 000018
【図１８】
0003996372.tif 000019
【図１９】
0003996372.tif 000020
【図２０】
0003996372.tif 000021
【図２１】
0003996372.tif 000022
【図２２】
0003996372.tif 000023
【図２３】
0003996372.tif 000024
【図２４】
0003996372.tif 000025
【図２５】
0003996372.tif 000026
【図２６】
0003996372.tif 000027